(57)【要約】      （修正有）【課題】車両により移動する広告利用者が、車両を停車せずにかつ車載端末を操作することなく広告情報を得ることが可能な広告システムを提示する。【解決手段】広告スポンサの位置情報と広告内容情報とを組合せて記録するステップと、ルートを設定するステップと、設定されたルートを受信するステップと、受信したルートと前記位置情報とに基づいて前記広告情報を抽出して送信するステップと、送信された前記広告情報を受信するステップと、受信した前記広告情報と、この広告情報から抽出した単語のキーワードテキスト情報とを記憶するステップと、音声情報が入力されるステップと、入力された音声情報に対応するキーワードテキスト情報を検索するステップと、対応するキーワードテキスト情報が検索されたとき、抽出元となる広告内容テキスト情報を出力するステップとを有する。【選択図】  図８
2004286872.tif 000002
【特許請求の範囲】
【請求項１】
広告スポンサの位置情報と広告内容となる広告内容テキスト情報とを組合せて広告事業者機器において記録するステップと、広告利用者機器にてルートを設定するステップと、設定されたルートを前記広告事業者機器において受信するステップと、前記広告事業者機器において、受信したルートと前記位置情報とに基づいて前記広告内容テキスト情報を抽出して前記広告利用者機器に送信するステップと、前記広告事業者機器から送信された前記広告内容テキスト情報を前記広告利用者機器において受信するステップと、前記広告利用者機器において、受信した前記広告内容テキスト情報と、この広告内容テキスト情報から抽出した単語のキーワードテキスト情報とを記憶するステップと、前記広告利用者機器において音声情報が入力されるステップと、入力された音声情報に対応するキーワードテキスト情報を検索するステップと、対応するキーワードテキスト情報が検索されたとき、抽出元となる広告内容テキスト情報を出力するステップとを有することを特徴とする広告方法。
【請求項２】
広告スポンサの位置情報と広告内容となる広告内容テキスト情報とを組合せて広告事業者機器において記録するステップと、広告利用者機器にて入力される音声を認識する際に参照する音声認識辞書を記憶しておき、広告利用者機器にてルートを設定するステップと、設定されたルートを前記広告事業者機器において受信するステップと、前記広告事業者機器において受信したルートと前記位置情報とに基づいて前記広告内容テキスト情報を抽出して前記広告利用者機器に送信するステップと、前記広告事業者機器から送信された前記広告内容テキスト情報を前記広告利用者機器において受信するステップと、前記広告利用者機器において、受信した前記広告内容テキスト情報と、この広告内容テキスト情報から抽出した単語のキーワードテキスト情報とを記憶するステップと、前記広告利用者機器において音声情報が入力されるステップと、入力された音声情報を認識する際に、音声認識辞書データよりもキーワードテキスト情報の優先度を高めて音声情報を認識するステップと、認識された音声情報に基づいて音声情報を含む広告内容テキスト情報を出力するステップとを有することを特徴とする広告方法。
【請求項３】
広告スポンサの位置情報、広告内容となる広告内容テキスト情報および広告内容の詳細コンテンツ情報を含む広告情報を組合せて広告事業者機器において記録するステップと、広告利用者機器にてルートを設定するステップと、設定されたルートを前記広告事業者機器において受信するステップと、前記広告事業者機器において受信したルートと前記位置情報とに基づいて前記広告内容テキスト情報を抽出して前記広告利用者機器に送信するステップと、前記広告事業者機器から送信された前記広告内容テキスト情報を前記広告利用者機器において受信するステップと、前記広告利用者機器において、受信した前記広告内容テキスト情報と、この広告内容テキスト情報から抽出した単語のキーワードテキスト情報とを記憶するステップと、前記広告利用者機器において音声情報が入力されるステップと、入力された音声情報に対応するキーワードテキスト情報を検索するステップと、対応するキーワードテキスト情報が検索されたとき、抽出元となる広告内容テキスト情報を出力するステップと、前記広告事業者機器から前記広告利用者機器に対して、広告内容テキスト情報と組み合わせて記録されている広告内容の詳細コンテンツ情報を送信するステップと、前記広告利用者機器は受信した詳細コンテンツ情報を出力するステップとを有することを特徴とする広告方法。
【請求項４】
広告スポンサの位置情報、広告内容となる広告内容テキスト情報および広告内容の音声コンテンツ情報を含む広告インデックス情報を広告事業者側において保存するステップと、広告利用者の車両の位置情報に基づいて所定の範囲をエリア確定情報として前記車両において確定するステップと、前記エリア確定情報を前記広告事業者側において受信するステップと、前記広告事業者側において受信した前記エリア確定情報に基づいて前記広告インデックス情報を抽出して前記車両側に送信するステップと、前記広告事業者側から送信された前記広告インデックス情報を前記車両において受信するステップと、前記車両において受信した前記広告インデックス情報を保存するステップと、前記車両において保存された前記広告インデックス情報に含まれる前記広告内容テキスト情報を入力して単語に分割するとともに主要な単語のキーワードテキスト情報とその音声情報であるキーワード音声情報で構成される音声テキスト変換情報を作成するステップと、前記車両において前記音声テキスト変換情報を保存するステップと、前記広告利用者の音声情報を受けるとともに前記車両において保存された音声テキスト変換情報を参照することにより、前記広告利用者の前記音声情報に含まれるキーワードをキーワードテキスト情報に変換するステップと、前記車両において保存された前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するステップと、前記車両において抽出された前記広告インデックス情報に含まれる音声コンテンツ情報を出力させるステップとを有することを特徴とする広告方法。
【請求項５】
広告利用者の車両の位置情報に基づいて所定の範囲をエリア確定情報として前記車両において確定するステップと、前記エリア確定情報を前記車両側から前記広告事業者側に送信するステップと、前記エリア確定情報に基づいて前記広告事業者側において抽出され、広告スポンサの位置情報、広告内容となる広告内容テキスト情報および広告内容の音声コンテンツ情報を含む広告インデックス情報を前記広告事業者側から前記車両において受信するステップと、前記広告事業者側から受信した前記広告インデックス情報を前記車両において保存するステップと、前記車両において保存された前記広告インデックス情報に含まれる前記広告内容テキスト情報を入力して単語に分割するとともに主要な単語のキーワードテキスト情報とその音声情報であるキーワード音声情報で構成される音声テキスト変換情報を作成するステップと、前記車両において前記音声テキスト変換情報を保存するステップと、前記広告利用者の音声情報を受けるとともに前記車両において保存された音声テキスト変換情報を参照することにより、前記広告利用者の前記音声情報に含まれるキーワードをキーワードテキスト情報に変換するステップと、前記車両において保存された前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するステップと、前記車両において抽出された前記広告インデックス情報に含まれる音声コンテンツ情報を出力させるステップとを有することを特徴とする広告方法。
【請求項６】
広告スポンサの位置情報、広告内容となる広告内容テキスト情報および広告内容の音声コンテンツ情報を含む広告インデックス情報を広告事業者側において保存するステップと、広告利用者の車両の位置情報に基づいて所定の範囲をエリア確定情報として前記車両において確定するステップと、前記エリア確定情報を前記広告事業者側において受信するステップと、前記広告事業者側において受信した前記エリア確定情報に基づいて前記広告インデックス情報を抽出して前記車両側に送信するステップと、前記広告事業者側から送信された前記広告インデックス情報を前記車両において受信するステップと、前記車両において受信した前記広告インデックス情報を保存するステップと、予め前記車両において設定されたエージェント条件情報と前記車両の位置情報とに基づいて前記広告インデックス情報を抽出するステップと、前記車両において抽出された前記広告インデックス情報に含まれる音声コンテンツ情報を出力させるステップとを有することを特徴とする広告方法。
【請求項７】
広告利用者の車両の位置情報に基づいて所定の範囲をエリア確定情報として前記車両において確定するステップと、前記エリア確定情報を前記車両側から前記広告事業者側に送信するステップと、前記エリア確定情報に基づいて前記広告事業者側において抽出され、広告スポンサの位置情報、広告内容となる広告内容テキスト情報および広告内容の音声コンテンツ情報を含む広告インデックス情報を前記広告事業者側から前記車両において受信するステップと、前記広告事業者側から受信した前記広告インデックス情報を前記車両において保存するステップと、予め前記車両において設定されたエージェント条件情報と前記車両の位置情報とに基づいて前記広告インデックス情報を抽出するステップと、前記車両において抽出された前記広告インデックス情報に含まれる音声コンテンツ情報を出力させるステップとを有することを特徴とする広告方法。
【請求項８】
広告事業者機器において広告スポンサの位置情報と広告内容となる広告内容情報とを組み合わせて記憶しておき、広告利用者機器において前記広告内容情報の送信を設定し、この設定に基づいて前記広告利用者機器は、当該機器の位置情報を検出して前記広告事業者機器に送信し、前記広告事業者機器は送信される前記広告利用者機器の位置情報に基づいて、所定エリア内に存在する広告スポンサの位置情報を検索して対応する広告内容情報を抽出し、抽出した広告内容情報を前記広告利用者機器に送信し、前記広告利用者機器は送信された広告内容情報を受信して出力することを特徴とする広告方法。
【請求項９】
広告事業者機器において広告スポンサの位置情報と広告内容となる広告内容情報とを組合わせて記憶しておき、広告事業者機器から移動可能な広告利用者機器へ広告内容情報を送信するため、広告利用者機器から広告事業者機器へ広告利用者機器の位置情報を送信し、広告事業者機器は、送信された位置情報に基づいて移動方向後方よりも移動方向前方を広く設定したエリアに存在する広告スポンサの位置情報を検索して広告利用者機器に送信し、広告利用者機器は送信された広告内容情報を受信して出力することを特徴とする広告方法。
【請求項１０】
前記車両において保存された音声テキスト変換情報を参照することにより、前記広告利用者の音声情報に含まれるキーワードをキーワードテキスト情報に変換できない場合には、前記音声情報が広告事業者側に送信され、単語のテキスト情報とその音声情報で構成される前記広告事業者側のマスターキーワード情報を参照することにより、前記音声情報に含まれるキーワードがキーワードテキスト情報に変換され、さらに変換されたキーワードテキスト情報が前記広告事業者側から前記車両側に送信されることを特徴とする請求項１ないし５のいずれか１項に記載の広告方法。
【請求項１１】
前記車両において保存された音声テキスト変換情報を参照することにより前記広告利用者の前記音声情報に含まれるキーワードをキーワードテキスト情報に変換できない場合には、前記音声情報が広告事業者側に送信される一方、広告事業者側において単語のテキスト情報とその音声情報で構成されるマスターキーワード情報が参照され、さらに前記マスターキーワード情報を参照することにより前記音声情報に含まれるキーワードをキーワードテキスト情報に変換できる場合には、前記マスターキーワード情報を参照して変換されたキーワードテキスト情報が前記広告事業者側から前記車両側に送信される一方、マスターキーワード情報を参照することにより前記音声情報に含まれるキーワードをキーワードテキスト情報に変換できない場合には、再度音声入力すべき旨の再音声入力要求情報が前記広告事業者側から前記車両側に送信されて出力されることを特徴とする請求項１ないし５のいずれか１項に記載の広告方法。
【請求項１２】
前記音声テキスト変換情報には優先適用情報が設定され、前記広告利用者の前記音声情報に含まれるキーワードをいずれのキーワードテキスト情報に変換すべきかの判断が困難な場合には、より優先順位の高い優先適用情報を有する音声テキスト変換情報を適用させてキーワードテキスト情報に変換することを特徴とする請求項１ないし５のいずれか１項に記載の広告方法。
【請求項１３】
少なくとも前記車両において出力された音声コンテンツ情報を含む前記広告スポンサの広告内容情報の履歴が広告利用履歴情報として記録されることを特徴とする請求項１ないし７のいずれか１項に記載の広告方法。
【請求項１４】
少なくとも前記車両において出力された音声コンテンツ情報を含む前記広告スポンサの広告内容情報の履歴が広告利用履歴情報として前記車両において記録され、さらに広告利用履歴情報が前記車両側から前記広告事業者側に送信されて、前記広告事業者側において前記広告利用履歴情報から広告利用者履歴集計情報が作成されることを特徴とする請求項１ないし７のいずれか１項に記載の広告方法。
【請求項１５】
少なくとも前記車両において出力された音声コンテンツ情報を含む前記広告スポンサの広告内容情報の履歴が広告利用履歴情報として前記車両において記録され、さらに広告利用履歴情報とともに前記広告利用者の属性情報が前記車両側から前記広告事業者側に送信されて、前記広告事業者側において前記広告利用履歴情報と前記広告利用者の属性情報とから広告利用者履歴集計情報が作成されることを特徴とする請求項１ないし７のいずれか１項に記載の広告方法。
【請求項１６】
少なくとも前記車両において出力された音声コンテンツ情報を含む前記広告スポンサの広告内容情報の履歴が広告利用履歴情報として前記車両において記録され、さらに広告利用履歴情報とともに前記車両の通過履歴情報が前記車両側から前記広告事業者側に送信されて、前記広告事業者側において前記広告利用履歴情報と前記車両の通過履歴情報とから広告利用者履歴集計情報が作成されることを特徴とする請求項１ないし７のいずれか１項に記載の広告方法。
【請求項１７】
前記車両において抽出された前記広告インデックス情報に含まれる広告スポンサの位置情報を識別情報とともに表示させることを特徴とする請求項１ないし７のいずれか１項に記載の広告方法。
【請求項１８】
前記車両において抽出された前記広告インデックス情報のうち前記広告利用者が提供を希望する広告インデックス情報の選択が音声により要求される一方、要求された前記広告インデックス情報に含まれる音声コンテンツ情報が出力されることを特徴とする請求項１ないし７のいずれか１項に記載の広告方法。
【請求項１９】
前記車両において抽出された広告インデックス情報に含まれる広告スポンサの位置のいずれかに前記車両の目的地を設定すべきか否かが広告利用者に対して確認され、前記広告利用者から前記広告スポンサの位置に前記車両の目的地を設定すべき要求が入力された場合には、前記車両の目的地を広告スポンサの位置に設定することを特徴とする請求項１ないし７のいずれか１項に記載の広告方法。
【請求項２０】
前記車両において抽出された前記広告インデックス情報のうち前記広告利用者が提供を希望する広告インデックス情報の選択が音声により要求され、要求された前記広告インデックス情報に含まれる音声コンテンツ情報が出力される一方、前記車両側から画像コンテンツ要求情報が前記広告利用者側に送信され、前記広告利用者側から前記画像コンテンツ要求情報に基づいて前記車両側に送信された画像コンテンツ情報が前記車両側において出力されることを特徴とする請求項１ないし７のいずれか１項に記載の広告方法。
【請求項２１】
前記車両側には前記車両の位置から前記広告スポンサまでの距離に応じて前記広告利用者に提供すべき画像コンテンツ情報が設定された広告パターン情報が予め保存される一方、前記車両において抽出された前記広告インデックス情報のうち前記広告利用者が提供を希望する広告インデックス情報の選択が音声により要求され、要求された前記広告インデックス情報に含まれる音声コンテンツ情報が出力されるとともに前記車両の位置から前記広告インデックス情報に対応する前記広告スポンサまでの距離が計算され、計算された前記車両の位置から前記広告スポンサまでの距離と前記広告パターン情報とから画像コンテンツ情報の出力が必要である場合には、前記車両側から広告パターン情報に応じた画像コンテンツ要求情報が前記広告利用者側に送信され、さらに前記広告利用者側から前記画像コンテンツ要求情報に基づいて前記車両側に送信された画像コンテンツ情報が前記車両側において出力されることを特徴とする請求項１ないし７のいずれか１項に記載の広告方法。
【請求項２２】
前記車両側には抽出された前記広告インデックス情報の数に応じて前記広告利用者に提供すべき画像コンテンツ情報が設定された広告パターン情報が予め保存される一方、前記車両において抽出された前記広告インデックス情報のうち前記広告利用者が提供を希望する広告インデックス情報の選択が音声により要求され、要求された前記広告インデックス情報に含まれる音声コンテンツ情報が出力されるとともに前記車両の位置から前記広告インデックス情報に対応する前記広告スポンサまでの距離が計算され、計算された前記車両の位置から前記広告スポンサまでの距離と前記広告パターン情報とから画像コンテンツ情報の出力が必要である場合には、前記車両側から広告パターン情報に応じた画像コンテンツ要求情報が前記広告利用者側に送信され、さらに前記広告利用者側から前記画像コンテンツ要求情報に基づいて前記車両側に送信された画像コンテンツ情報が前記車両側において出力されることを特徴とする請求項１ないし７のいずれか１項に記載の広告方法。
【請求項２３】
前記車両の走行状態に応じて前記広告利用者に提供すべき画像コンテンツ情報が設定された広告パターン情報が予め保存される一方、前記車両において抽出された前記広告インデックス情報のうち前記広告利用者が提供を希望する広告インデックス情報の選択が音声により要求され、要求された前記広告インデックス情報に含まれる音声コンテンツ情報が出力されるとともに、前記車両の走行状態と前記広告パターン情報とから画像コンテンツ情報の出力が必要である場合には、前記車両側から広告パターン情報に応じた画像コンテンツ要求情報が前記広告利用者側に送信され、さらに前記広告利用者側から前記画像コンテンツ要求情報に基づいて前記車両側に送信された画像コンテンツ情報が前記車両側において出力されることを特徴とする請求項１ないし７のいずれか１項に記載の広告方法。
【請求項２４】
前記車両の走行状態を判定し、前記車両が停止中である場合は、前記画像コンテンツ情報を出力させる一方、前記車両が走行中である場合には、前記画像コンテンツ情報の出力を停止させることを特徴とする請求項２０ないし２３のいずれか１項に記載の広告方法。
【請求項２５】
前記広告スポンサの位置情報は、前記広告スポンサの実際の位置情報と、一定の条件により設定された仮想位置情報とで構成され、前記広告スポンサの実際の位置情報および仮想位置情報のうち適切な一方が選択されて使用されることを特徴とする請求項１ないし８のいずれか１項に記載の広告方法。
【請求項２６】
前記車両の現在の位置からの距離が一定範囲内でありかつ一定の幅以上の幅を有する道路が前記エリア確定情報として設定されることを特徴とする請求項１ないし８のいずれか１項に記載の広告方法。
【請求項２７】
前記車両の現在の位置からの距離が一定範囲内でありかつ現在前記車両が走行している道路の幅以上の幅を有する道路が前記エリア確定情報として設定されることを特徴とする請求項１ないし８のいずれか１項に記載の広告システム。
【請求項２８】
前記車両の現在の位置からの距離が一定範囲内でありかつ一定の幅以上の幅を有する道路が前記エリア確定情報として設定され、前記広告事業者側において前記エリア確定情報に基づいて抽出すべき広告インデックス情報が存在しない場合には、前記エリア確定情報の設定条件が変更されることを特徴とする請求項１ないし８のいずれか１項に記載の広告システム。
【請求項２９】
前記エージェント条件情報は、予め前記車両に保存された前記広告利用者の広告利用履歴情報に基づいて設定されることを特徴とする請求項６または７記載の広告方法。
【請求項３０】
前記エージェント条件情報は、予め前記車両に保存された前記広告利用者の属性情報に基づいて設定されることを特徴とする請求項６または７記載の広告方法。
【請求項３１】
前記エージェント条件情報は、予め前記車両に保存された前記広告インデックス情報の更新情報に基づいて設定されることを特徴とする請求項６または７記載の広告方法。
【請求項３２】
広告スポンサの位置情報、広告内容となる広告内容テキスト情報および広告内容の音声コンテンツ情報を含む広告インデックス情報を保存する広告事業者側の広告インデックスデータベースと、広告利用者の車両に設けられ、前記車両の位置情報に基づいて所定の範囲をエリア確定情報として確定するエリア確定手段と、このエリア確定手段から前記エリア確定情報を受信する広告事業者側のエリア入力手段と、このエリア入力手段が受信した前記エリア確定情報に基づいて前記広告インデックスデータベースから前記広告インデックス情報を抽出して送信する広告事業者側のインデックス送信手段と、前記車両に設けられ、前記インデックス送信手段により抽出された前記広告インデックス情報を受信するインデックス受信手段と、前記車両に設けられ、前記インデックス受信手段が受信した前記広告インデックス情報を保存する車載インデックスデータベースと、前記車両に設けられ、前記車載インデックスデータベースから前記広告インデックス情報に含まれる前記広告内容テキスト情報を入力して単語に分割するとともに主要な単語のキーワードテキスト情報とその音声情報であるキーワード音声情報で構成される音声テキスト変換情報を作成する車載キーワード情報作成手段と、前記車両に設けられ、前記車載キーワード情報作成手段により作成された前記音声テキスト変換情報を保存する車載キーワードデータベースと、前記車両に設けられ、前記広告利用者の音声情報を受けるとともに前記車載キーワードデータベースの音声テキスト変換情報を参照することにより、前記広告利用者の前記音声情報に含まれるキーワードをキーワードテキスト情報に変換する車載キーワード認識手段と、前記車両に設けられ、前記エリア確定手段から前記エリア確定情報を受ける一方、前記車載キーワード認識手段から前記キーワードテキスト情報を受けて、前記車載インデックスデータベースの前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するインデックス抽出手段と、前記車両に設けられ、前記インデックス抽出手段により抽出された前記広告インデックス情報に含まれる音声コンテンツ情報を出力させる音声コンテンツ出力手段とを有することを特徴とする広告システム。
【請求項３３】
広告利用者の車両の位置情報に基づいて所定の範囲をエリア確定情報として確定するとともに前記広告事業者側に送信するエリア確定手段と、前記広告事業者側において前記エリア確定情報に基づいて送信され、広告スポンサの位置情報、広告内容となる広告内容テキスト情報および広告内容の音声コンテンツ情報を含む広告インデックス情報を受信するインデックス受信手段と、前記インデックス受信手段が受信した前記広告インデックス情報を保存する車載インデックスデータベースと、前記車載インデックスデータベースから前記広告インデックス情報に含まれる前記広告内容テキスト情報を入力して単語に分割するとともに主要な単語のキーワードテキスト情報とその音声情報であるキーワード音声情報で構成される音声テキスト変換情報を作成する車載キーワード情報作成手段と、前記車載キーワード情報作成手段により作成された前記音声テキスト変換情報を保存する車載キーワードデータベースと、前記広告利用者の音声情報を受けるとともに前記車載キーワードデータベースの音声テキスト変換情報を参照することにより、前記広告利用者の前記音声情報に含まれるキーワードをキーワードテキスト情報に変換する車載キーワード認識手段と、前記エリア確定手段から前記エリア確定情報を受ける一方、前記車載キーワード認識手段から前記キーワードテキスト情報を受けて、前記車載インデックスデータベースの前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するインデックス抽出手段と、前記インデックス抽出手段により抽出された前記広告インデックス情報に含まれる音声コンテンツ情報を出力させる音声コンテンツ出力手段とを有することを特徴とする広告システム。
【請求項３４】
広告スポンサの位置情報、広告内容となる広告内容テキスト情報および広告内容の音声コンテンツ情報を含む広告インデックス情報を保存する広告事業者側の広告インデックスデータベースと、広告利用者の車両に設けられ、前記車両の位置情報に基づいて所定の範囲をエリア確定情報として確定するエリア確定手段と、このエリア確定手段から前記エリア確定情報を受信する広告事業者側のエリア入力手段と、このエリア入力手段が受信した前記エリア確定情報に基づいて前記広告インデックスデータベースから前記広告インデックス情報を抽出して送信する広告事業者側のインデックス送信手段と、前記車両に設けられ、前記インデックス送信手段により抽出された前記広告インデックス情報を受信するインデックス受信手段と、前記車両に設けられ、前記インデックス受信手段が受信した前記広告インデックス情報を保存する車載インデックスデータベースと、前記車両に設けられ、予め設定されたエージェント条件情報と前記車両の位置情報とに基づいて前記広告インデックス情報を抽出するエージェント手段と、前記車両に設けられ、前記エージェント手段により抽出された前記広告インデックス情報に含まれる音声コンテンツ情報を出力させる音声コンテンツ出力手段とを有することを特徴とする広告システム。
【請求項３５】
広告利用者の車両の位置情報に基づいて所定の範囲をエリア確定情報として確定するとともに前記広告事業者側に送信するエリア確定手段と、前記広告事業者側において前記エリア確定情報に基づいて送信され、広告スポンサの位置情報、広告内容となる広告内容テキスト情報および広告内容の音声コンテンツ情報を含む広告インデックス情報を受信するインデックス受信手段と、前記インデックス受信手段が受信した前記広告インデックス情報を保存する車載インデックスデータベースと、予め設定されたエージェント条件情報と前記車両の位置情報とに基づいて前記広告インデックス情報を抽出するエージェント手段と、前記エージェント手段により抽出された前記広告インデックス情報に含まれる音声コンテンツ情報を出力させる音声コンテンツ出力手段とを有することを特徴とする広告システム。
【請求項３６】
広告スポンサの位置情報、広告内容となる広告内容テキスト情報および広告内容の音声コンテンツ情報を含む広告インデックス情報を保存する広告事業者側の広告インデックスデータベースと、広告利用者の車両の位置情報に基づいて確定されたエリア確定情報を前記車両側から受信する広告事業者側のエリア入力手段と、このエリア入力手段が受信した前記エリア確定情報に基づいて前記広告インデックスデータベースから前記広告インデックス情報を抽出して前記車両側に送信する広告事業者側のインデックス送信手段とを有することを特徴とする広告システム。
【発明の詳細な説明】
【０００１】
【発明の属する技術分野】
本発明は、自動車等の車両に乗車した広告利用者に対し、広告情報を提供する広告方法とその方法に使用する広告システムに関する。
【０００２】
【従来の技術】
従来、広告スポンサが広告利用者に対して、音声や画像を用いて広告情報を提供する方法としては、ＴＶ（Ｔｅｌｅｖｉｓｉｏｎ）やラジオ等のマスメディアによる放送が挙げられる。特に自動車等の車両に乗車している広告利用者に対しては、ラジオ放送による方法が一般的である。すなわち、広告スポンサが、広告利用者への提供を希望する広告情報の放送についてラジオ放送事業者と契約し、ラジオ放送により広告情報を放送することにより広告利用者に提供するという方法である。
【０００３】
一方、近年、利用される広告方法として、携帯電話やカーナビゲーションシステム等の携帯用情報端末を利用する方法がある。すなわち、広告スポンサが、携帯用情報端末による情報提供事業者と契約し、広告情報を車両の位置情報とともに広告利用者の車両に備えられた携帯用情報端末のモニタに表示させることにより広告利用者に提供するという方法である。
【０００４】
さらに、携帯用情報端末を利用して観光スポットについての情報を情報利用者に提供する技術として、ナビゲーション経路情報配信システムがある（例えば特許文献１参照）。
【０００５】
図１８に示すように従来のナビゲーション経路情報配信システム１は、エリア内観光スポットデータ生成装置２、ディジタルテレビ局３に設けられたサーバ４およびサーバ４に接続された配信装置５、セットトップボックス６並びに自動車等の車両に搭載されたナビゲーション装置７により構成される。
【０００６】
ナビゲーション装置７は、コントロールユニット８にＲＡＭ（Ｒａｎｄｏｍ  Ａｃｃｅｓｓ  Ｍｅｍｏｒｙ）９、全国の地図データが保存されたＲＯＭ（Ｒｅａｄ  Ｏｎｌｙ  Ｍｅｍｏｒｙ）１０、ディスプレイ１１、入力デバイス１２およびＧＰＳ（Ｇｌｏｂａｌ  Ｐｏｓｉｔｉｏｎｉｎｇ  Ｓｙｓｔｅｍ）受信器１３を接続した構成である。
【０００７】
また、エリア内観光スポットデータ生成装置２、サーバ４、配信装置５、セットトップボックス６はインターネット１４にそれぞれ接続される。セットトップボックス６はディジタルテレビ局３の配信装置５から配信されたテレビ番組を受信することができる。
【０００８】
そして、エリア内観光スポットデータ生成装置２で生成された観光スポットの紹介情報等のエリア内観光スポットデータがインターネット１４を介してディジタルテレビ局３のサーバ４に保存され、配信装置５によりテレビ番組とともに配信される。配信されたエリア内観光スポットデータは、セットトップボックス６で受信され、テレビ番組を視聴した情報利用者はエリア内観光スポットデータをインターネット１４を介してセットトップボックス６に保存する。
【０００９】
さらに、情報利用者はセットトップボックス６からエリア内観光スポットデータをメモリスティック等の情報記録媒体を介してコントロールユニット８に入力し、エリア内観光スポットデータはＲＡＭ９に保存される。コントロールユニット８は、ＲＡＭ９のエリア内観光スポットデータ、ＧＰＳ受信器１３が受信した現在の位置情報およびＲＯＭ１０の地図データを入力し、ディスプレイ１１に複数の観光スポットのアクセスポイントを表示させる。
【００１０】
一方、情報利用者が入力デバイス１２を介して単一の観光スポットを選択すると、現在の位置から選択された観光スポットのアクセスポイントまでの経路をディスプレイ１１に表示させることができる。このため情報利用者は、現在の車両の位置から選択した観光スポットまでの経路を知ることができる。
【００１１】
【特許文献１】
特開２００２−３１０６７９号公報（第６頁−第８頁、図１、２参照）
【００１２】
【発明が解決しようとする課題】
従来のマスメディアによる広告方法では、広告費用が比較的高いため、多数の広告利用者を対象とする大型店舗やチェーン店等の広告スポンサによる利用が一般的であり、小売業、商店、サービス業等の小規模の広告スポンサによる利用は困難である。
【００１３】
一方、携帯用情報端末を利用した広告方法では、車両により移動する広告利用者が広告情報を得ようとする際、車両を停車させるとともに予め設定されたジャンルから検索するという煩雑な携帯用情報端末の操作作業並びに作業時間が必要となる。
【００１４】
また、広告スポンサによる広告利用者への広告情報の提供方法が携帯用情報端末に表示された地図情報とともに表示する方法に限られる。
【００１５】
さらに、広告情報を提供する対象が、広告情報を検索した広告利用者に限定される。このため、広告情報の検索を実行しなかった潜在的な広告利用者への広告情報の提供が十分にできない。加えて、広告スポンサが広告情報の提供による広告展開効果を把握することが困難である。
【００１６】
一方、従来のナビゲーション経路情報配信システム１においては、上述の問題点に加え、情報利用者が予め必要であると想定される全てのエリア内観光スポットデータをセットトップボックス６に保存し、かつ保存したエリア内観光スポットデータを全てナビゲーション装置７に入力して保存する必要がある。このため、ナビゲーション装置７に保存する情報量が膨大になる恐れがあるという問題が生じるのみならず、予めナビゲーション装置７に保存されていないエリア内観光スポットデータを参照することができない。
【００１７】
また、逆に、情報利用者に不要なエリア内観光スポットデータであっても一端、ナビゲーション装置７に保存されると全て提供されるため、情報利用者にとって煩雑となる恐れがある。
【００１８】
本発明はかかる従来の事情に対処するためになされたものであり、車両により移動する広告利用者が、車両を停車せずにかつ車載端末を操作することなく広告スポンサの広告情報を得ることが可能な広告方法とその方法に使用する広告システムを提供することを目的とする。
【００１９】
また、本発明の他の目的は、広告利用者が予め広告情報を車両の携帯用情報端末に保存することなく、広告情報を得ることが可能な広告方法とその方法に使用する広告システムを提供することである。
【００２０】
【課題を解決するための手段】
本発明に係る広告方法は、上述の目的を達成するために、請求項１に記載したように、広告スポンサの位置情報と広告内容となる広告内容テキスト情報とを組合せて広告事業者機器において記録するステップと、広告利用者機器にてルートを設定するステップと、設定されたルートを前記広告事業者機器において受信するステップと、前記広告事業者機器において、受信したルートと前記位置情報とに基づいて前記広告内容テキスト情報を抽出して前記広告利用者機器に送信するステップと、前記広告事業者機器から送信された前記広告内容テキスト情報を前記広告利用者機器において受信するステップと、前記広告利用者機器において、受信した前記広告内容テキスト情報と、この広告内容テキスト情報から抽出した単語のキーワードテキスト情報とを記憶するステップと、前記広告利用者機器において音声情報が入力されるステップと、入力された音声情報に対応するキーワードテキスト情報を検索するステップと、対応するキーワードテキスト情報が検索されたとき、抽出元となる広告内容テキスト情報を出力するステップとを有する。
【００２１】
また、本発明に係る広告方法は、上述の目的を達成するために、請求項２に記載したように、広告スポンサの位置情報と広告内容となる広告内容テキスト情報とを組合せて広告事業者機器において記録するステップと、広告利用者機器にて入力される音声を認識する際に参照する音声認識辞書を記憶しておき、広告利用者機器にてルートを設定するステップと、設定されたルートを前記広告事業者機器において受信するステップと、前記広告事業者機器において受信したルートと前記位置情報とに基づいて前記広告内容テキスト情報を抽出して前記広告利用者機器に送信するステップと、前記広告事業者機器から送信された前記広告内容テキスト情報を前記広告利用者機器において受信するステップと、前記広告利用者機器において、受信した前記広告内容テキスト情報と、この広告内容テキスト情報から抽出した単語のキーワードテキスト情報とを記憶するステップと、前記広告利用者機器において音声情報が入力されるステップと、入力された音声情報を認識する際に、音声認識辞書データよりもキーワードテキスト情報の優先度を高めて音声情報を認識するステップと、認識された音声情報に基づいて音声情報を含む広告内容テキスト情報を出力するステップとを有する。
【００２２】
また、本発明に係る広告方法は、上述の目的を達成するために、請求項３に記載したように、広告スポンサの位置情報、広告内容となる広告内容テキスト情報および広告内容の詳細コンテンツ情報を含む広告情報を組合せて広告事業者機器において記録するステップと、広告利用者機器にてルートを設定するステップと、設定されたルートを前記広告事業者機器において受信するステップと、前記広告事業者機器において受信したルートと前記位置情報とに基づいて前記広告内容テキスト情報を抽出して前記広告利用者機器に送信するステップと、前記広告事業者機器から送信された前記広告内容テキスト情報を前記広告利用者機器において受信するステップと、前記広告利用者機器において、受信した前記広告内容テキスト情報と、この広告内容テキスト情報から抽出した単語のキーワードテキスト情報とを記憶するステップと、前記広告利用者機器において音声情報が入力されるステップと、入力された音声情報に対応するキーワードテキスト情報を検索するステップと、対応するキーワードテキスト情報が検索されたとき、抽出元となる広告内容テキスト情報を出力するステップと、前記広告事業者機器から前記広告利用者機器に対して、広告内容テキスト情報と組み合わせて記録されている広告内容の詳細コンテンツ情報を送信するステップと、前記広告利用者機器は受信した詳細コンテンツ情報を出力するステップとを有する。
【００２３】
また、本発明に係る広告方法は、上述の目的を達成するために、請求項４に記載したように、広告スポンサの位置情報、広告内容となる広告内容テキスト情報および広告内容の音声コンテンツ情報を含む広告インデックス情報を広告事業者側において保存するステップと、広告利用者の車両の位置情報に基づいて所定の範囲をエリア確定情報として前記車両において確定するステップと、前記エリア確定情報を前記広告事業者側において受信するステップと、前記広告事業者側において受信した前記エリア確定情報に基づいて前記広告インデックス情報を抽出して前記車両側に送信するステップと、前記広告事業者側から送信された前記広告インデックス情報を前記車両において受信するステップと、前記車両において受信した前記広告インデックス情報を保存するステップと、前記車両において保存された前記広告インデックス情報に含まれる前記広告内容テキスト情報を入力して単語に分割するとともに主要な単語のキーワードテキスト情報とその音声情報であるキーワード音声情報で構成される音声テキスト変換情報を作成するステップと、前記車両において前記音声テキスト変換情報を保存するステップと、前記広告利用者の音声情報を受けるとともに前記車両において保存された音声テキスト変換情報を参照することにより、前記広告利用者の前記音声情報に含まれるキーワードをキーワードテキスト情報に変換するステップと、前記車両において保存された前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するステップと、前記車両において抽出された前記広告インデックス情報に含まれる音声コンテンツ情報を出力させるステップとを有することを特徴とする方法である。
【００２４】
また、本発明に係る広告方法は、上述の目的を達成するために、請求項５に記載したように、広告利用者の車両の位置情報に基づいて所定の範囲をエリア確定情報として前記車両において確定するステップと、前記エリア確定情報を前記車両側から前記広告事業者側に送信するステップと、前記エリア確定情報に基づいて前記広告事業者側において抽出され、広告スポンサの位置情報、広告内容となる広告内容テキスト情報および広告内容の音声コンテンツ情報を含む広告インデックス情報を前記広告事業者側から前記車両において受信するステップと、前記広告事業者側から受信した前記広告インデックス情報を前記車両において保存するステップと、前記車両において保存された前記広告インデックス情報に含まれる前記広告内容テキスト情報を入力して単語に分割するとともに主要な単語のキーワードテキスト情報とその音声情報であるキーワード音声情報で構成される音声テキスト変換情報を作成するステップと、前記車両において前記音声テキスト変換情報を保存するステップと、前記広告利用者の音声情報を受けるとともに前記車両において保存された音声テキスト変換情報を参照することにより、前記広告利用者の前記音声情報に含まれるキーワードをキーワードテキスト情報に変換するステップと、前記車両において保存された前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するステップと、前記車両において抽出された前記広告インデックス情報に含まれる音声コンテンツ情報を出力させるステップとを有することを特徴とする方法である。
【００２５】
本発明に係る広告システムは、上述の目的を達成するために、請求項６に記載したように、広告スポンサの位置情報、広告内容となる広告内容テキスト情報および広告内容の音声コンテンツ情報を含む広告インデックス情報を広告事業者側において保存するステップと、広告利用者の車両の位置情報に基づいて所定の範囲をエリア確定情報として前記車両において確定するステップと、前記エリア確定情報を前記広告事業者側において受信するステップと、前記広告事業者側において受信した前記エリア確定情報に基づいて前記広告インデックス情報を抽出して前記車両側に送信するステップと、前記広告事業者側から送信された前記広告インデックス情報を前記車両において受信するステップと、前記車両において受信した前記広告インデックス情報を保存するステップと、予め前記車両において設定されたエージェント条件情報と前記車両の位置情報とに基づいて前記広告インデックス情報を抽出するステップと、前記車両において抽出された前記広告インデックス情報に含まれる音声コンテンツ情報を出力させるステップとを有することを特徴とする方法である。
【００２６】
本発明に係る広告システムは、上述の目的を達成するために、請求項７に記載したように、広告利用者の車両の位置情報に基づいて所定の範囲をエリア確定情報として前記車両において確定するステップと、前記エリア確定情報を前記車両側から前記広告事業者側に送信するステップと、前記エリア確定情報に基づいて前記広告事業者側において抽出され、広告スポンサの位置情報、広告内容となる広告内容テキスト情報および広告内容の音声コンテンツ情報を含む広告インデックス情報を前記広告事業者側から前記車両において受信するステップと、前記広告事業者側から受信した前記広告インデックス情報を前記車両において保存するステップと、予め前記車両において設定されたエージェント条件情報と前記車両の位置情報とに基づいて前記広告インデックス情報を抽出するステップと、前記車両において抽出された前記広告インデックス情報に含まれる音声コンテンツ情報を出力させるステップとを有することを特徴とする方法である。
【００２７】
また、本発明に係る広告方法は、上述の目的を達成するために、請求項８に記載したように、広告事業者機器において広告スポンサの位置情報と広告内容となる広告内容情報とを組み合わせて記憶しておき、広告利用者機器において前記広告内容情報の送信を設定し、この設定に基づいて前記広告利用者機器は、当該機器の位置情報を検出して前記広告事業者機器に送信し、前記広告事業者機器は送信される前記広告利用者機器の位置情報に基づいて、所定エリア内に存在する広告スポンサの位置情報を検索して対応する広告内容情報を抽出し、抽出した広告内容情報を前記広告利用者機器に送信し、前記広告利用者機器は送信された広告内容情報を受信して出力することを特徴とする方法である。
【００２８】
また、本発明に係る広告方法は、上述の目的を達成するために、請求項９に記載したように、広告事業者機器において広告スポンサの位置情報と広告内容となる広告内容情報とを組み合わせて記憶しておき、広告利用者機器において前記広告内容情報の送信を設定し、この設定に基づいて前記広告利用者機器は、当該機器の位置情報を検出して前記広告事業者機器に送信し、前記広告事業者機器は送信される前記広告利用者機器の位置情報に基づいて、所定エリア内に存在する広告スポンサの位置情報を検索して対応する広告内容情報を抽出し、抽出した広告内容情報を前記広告利用者機器に送信し、前記広告利用者機器は送信された広告内容情報を受信して出力することを特徴とする方法である。
【００２９】
本発明に係る広告システムは、上述の目的を達成するために、請求項３２に記載したように、広告スポンサの位置情報、広告内容となる広告内容テキスト情報および広告内容の音声コンテンツ情報を含む広告インデックス情報を保存する広告事業者側の広告インデックスデータベースと、広告利用者の車両に設けられ、前記車両の位置情報に基づいて所定の範囲をエリア確定情報として確定するエリア確定手段と、このエリア確定手段から前記エリア確定情報を受信する広告事業者側のエリア入力手段と、このエリア入力手段が受信した前記エリア確定情報に基づいて前記広告インデックスデータベースから前記広告インデックス情報を抽出して送信する広告事業者側のインデックス送信手段と、前記車両に設けられ、前記インデックス送信手段により抽出された前記広告インデックス情報を受信するインデックス受信手段と、前記車両に設けられ、前記インデックス受信手段が受信した前記広告インデックス情報を保存する車載インデックスデータベースと、前記車両に設けられ、前記車載インデックスデータベースから前記広告インデックス情報に含まれる前記広告内容テキスト情報を入力して単語に分割するとともに主要な単語のキーワードテキスト情報とその音声情報であるキーワード音声情報で構成される音声テキスト変換情報を作成する車載キーワード情報作成手段と、前記車両に設けられ、前記車載キーワード情報作成手段により作成された前記音声テキスト変換情報を保存する車載キーワードデータベースと、前記車両に設けられ、前記広告利用者の音声情報を受けるとともに前記車載キーワードデータベースの音声テキスト変換情報を参照することにより、前記広告利用者の前記音声情報に含まれるキーワードをキーワードテキスト情報に変換する車載キーワード認識手段と、前記車両に設けられ、前記エリア確定手段から前記エリア確定情報を受ける一方、前記車載キーワード認識手段から前記キーワードテキスト情報を受けて、前記車載インデックスデータベースの前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するインデックス抽出手段と、前記車両に設けられ、前記インデックス抽出手段により抽出された前記広告インデックス情報に含まれる音声コンテンツ情報を出力させる音声コンテンツ出力手段とを有することを特徴とするものである。
【００３０】
また、本発明に係る広告システムは、上述の目的を達成するために、請求項３３に記載したように、広告利用者の車両の位置情報に基づいて所定の範囲をエリア確定情報として確定するとともに前記広告事業者側に送信するエリア確定手段と、前記広告事業者側において前記エリア確定情報に基づいて送信され、広告スポンサの位置情報、広告内容となる広告内容テキスト情報および広告内容の音声コンテンツ情報を含む広告インデックス情報を受信するインデックス受信手段と、前記インデックス受信手段が受信した前記広告インデックス情報を保存する車載インデックスデータベースと、前記車載インデックスデータベースから前記広告インデックス情報に含まれる前記広告内容テキスト情報を入力して単語に分割するとともに主要な単語のキーワードテキスト情報とその音声情報であるキーワード音声情報で構成される音声テキスト変換情報を作成する車載キーワード情報作成手段と、前記車載キーワード情報作成手段により作成された前記音声テキスト変換情報を保存する車載キーワードデータベースと、前記広告利用者の音声情報を受けるとともに前記車載キーワードデータベースの音声テキスト変換情報を参照することにより、前記広告利用者の前記音声情報に含まれるキーワードをキーワードテキスト情報に変換する車載キーワード認識手段と、前記エリア確定手段から前記エリア確定情報を受ける一方、前記車載キーワード認識手段から前記キーワードテキスト情報を受けて、前記車載インデックスデータベースの前記広告インデックス情報を参照し、前記広告インデックス情報に含まれる前記広告内容テキスト情報の一部と前記キーワードテキスト情報とが一致し、かつ前記広告インデックス情報に含まれる前記広告スポンサの位置情報が前記エリア確定情報の条件を満たす場合には、前記広告インデックス情報を抽出するインデックス抽出手段と、前記インデックス抽出手段により抽出された前記広告インデックス情報に含まれる音声コンテンツ情報を出力させる音声コンテンツ出力手段とを有することを特徴とするものである。
【００３１】
また、本発明に係る広告システムは、上述の目的を達成するために、請求項３４に記載したように、広告スポンサの位置情報、広告内容となる広告内容テキスト情報および広告内容の音声コンテンツ情報を含む広告インデックス情報を保存する広告事業者側の広告インデックスデータベースと、広告利用者の車両に設けられ、前記車両の位置情報に基づいて所定の範囲をエリア確定情報として確定するエリア確定手段と、このエリア確定手段から前記エリア確定情報を受信する広告事業者側のエリア入力手段と、このエリア入力手段が受信した前記エリア確定情報に基づいて前記広告インデックスデータベースから前記広告インデックス情報を抽出して送信する広告事業者側のインデックス送信手段と、前記車両に設けられ、前記インデックス送信手段により抽出された前記広告インデックス情報を受信するインデックス受信手段と、前記車両に設けられ、前記インデックス受信手段が受信した前記広告インデックス情報を保存する車載インデックスデータベースと、前記車両に設けられ、予め設定されたエージェント条件情報と前記車両の位置情報とに基づいて前記広告インデックス情報を抽出するエージェント手段と、前記車両に設けられ、前記エージェント手段により抽出された前記広告インデックス情報に含まれる音声コンテンツ情報を出力させる音声コンテンツ出力手段とを有することを特徴とするものである。
【００３２】
また、本発明に係る広告システムは、上述の目的を達成するために、請求項３５に記載したように、広告利用者の車両の位置情報に基づいて所定の範囲をエリア確定情報として確定するとともに前記広告事業者側に送信するエリア確定手段と、前記広告事業者側において前記エリア確定情報に基づいて送信され、広告スポンサの位置情報、広告内容となる広告内容テキスト情報および広告内容の音声コンテンツ情報を含む広告インデックス情報を受信するインデックス受信手段と、前記インデックス受信手段が受信した前記広告インデックス情報を保存する車載インデックスデータベースと、予め設定されたエージェント条件情報と前記車両の位置情報とに基づいて前記広告インデックス情報を抽出するエージェント手段と、前記エージェント手段により抽出された前記広告インデックス情報に含まれる音声コンテンツ情報を出力させる音声コンテンツ出力手段とを有することを特徴とするものである。
【００３３】
また、本発明に係る広告システムは、上述の目的を達成するために、請求項３６に記載したように、広告スポンサの位置情報、広告内容となる広告内容テキスト情報および広告内容の音声コンテンツ情報を含む広告インデックス情報を保存する広告事業者側の広告インデックスデータベースと、広告利用者の車両の位置情報に基づいて確定されたエリア確定情報を前記車両側から受信する広告事業者側のエリア入力手段と、このエリア入力手段が受信した前記エリア確定情報に基づいて前記広告インデックスデータベースから前記広告インデックス情報を抽出して前記車両側に送信する広告事業者側のインデックス送信手段とを有することを特徴とするものである。
【００３４】
【発明の実施の形態】
本発明に係る広告方法とその方法に使用する広告システムの実施の形態について添付図面を参照して説明する。
【００３５】
図１は本発明に係る広告システムの実施の形態を示す構成図であり、図２は図１に示す広告システム２０の機能ブロック図である。
【００３６】
広告システム２０は、小売業者、商店、サービス業者等の広告スポンサ２１から広告事業の依頼を受けた広告事業者２２が、広告スポンサ２１により準備された広告内容情報を、自動車等の車両２３に乗車して移動する広告利用者に提供するシステムである。
【００３７】
広告スポンサ２１には、広告スポンサクライアント２４が設けられる。広告スポンサクライアント２４には、広告内容情報データベース２５が接続される。広告内容情報データベース２５には、広告スポンサ２１が準備した広告内容情報が予め保存される。
【００３８】
広告内容情報データベース２５に保存された広告内容情報は、広告スポンサ２１が販売する商品や提供するサービスの種類および価格、広告スポンサ２１の名称、住所、位置等の広告内容の基礎となる広告内容テキスト情報、音声コンテンツ情報あるいは画像コンテンツ情報により構成される。
【００３９】
一方、広告事業者２２側には、センタサーバ２６が設けられる。センタサーバ２６はインターネットや無線等の情報伝達手段２７を介して広告スポンサ２１の広告スポンサクライアント２４と接続される。
【００４０】
広告事業者２２のセンタサーバ２６には、無線器２８、広告利用者データベース２９、広告スポンサデータベース３０、広告インデックスデータベース３１、マスターキーワード情報データベース３２、画像コンテンツデータベース３３および広告利用履歴集計データベース３４が接続される。
【００４１】
そして、広告事業者２２のセンタサーバ２６、無線器２８、広告利用者データベース２９、広告スポンサデータベース３０、広告インデックスデータベース３１、マスターキーワード情報データベース３２、画像コンテンツデータベース３３および広告利用履歴集計データベース３４等の機器により広告事業者機器が形成されるが、別途他の機器が設けられてもよく、逆に一部の機器が設けられなくてもよい。
【００４２】
一方、広告利用者が乗車する車両２３には、カーナビゲーションシステム３５が搭載される。カーナビゲーションシステム３５は、ＧＰＳ受信器３６、地図情報データベース３７、地図表示手段３８およびモニタ３９を有する。カーナビゲーションシステム３５の地図表示手段３８は、ＧＰＳ受信器３６により得られた車両２３の位置情報に基づいて適切な地図情報を地図情報データベース３７から抽出してモニタ３９に表示する機能を有する。
【００４３】
さらに、車両２３には、車載端末４０、マイクロホン等の音声入力装置４１、スピーカ等の音声出力装置４２および無線器２８が設けられる。車載端末４０は、ＧＰＳ受信器３６、モニタ３９、音声入力装置４１、音声出力装置４２および無線器２８と接続される。
【００４４】
また、車両２３に設けられた車載端末４０には、が接続される。
【００４５】
そして、広告利用者側の車載端末４０、カーナビゲーションシステム３５、無線器２８、音声入力装置４１、音声出力装置４２、車載インデックスデータベース４３、車載キーワードデータベース４４、広告パターンデータベース４５、広告利用者属性データベース４８、エージェント条件データベース４６、広告利用履歴データベース４７、広告利用者属性データベース４８および車両通過履歴データベース４９等の機器により移動可能な広告利用者機器が形成されるが、別途他の機器が設けられてもよく、逆に一部の機器が設けられなくてもよい。
【００４６】
車載端末４０は、スイッチ手段５０、車両ルート設定手段５１、インデックス受信手段５２、車載キーワード情報作成手段５３、車載キーワード認識手段５４、エリア確定手段５５、再音声入力要求手段５６、インデックス抽出手段５７、広告スポンサ位置表示手段５８、広告スポンサ選択要求手段５９、音声コンテンツ出力手段６０、距離計算手段６１、広告パターン選定手段６２、画像コンテンツ要求手段６３、走行状態判定手段６４、画像コンテンツ表示手段６５、目的地設定手段６６、広告利用履歴記録手段６７、エージェント手段６８、広告利用履歴情報送信手段６９および車両通過履歴記録手段７０を有する。
【００４７】
一方、広告事業者２２のセンタサーバ２６は、広告スポンサ入力手段７１、広告内容情報入力手段７２、広告利用者情報入力手段７３、エリア入力手段７４、インデックス送信手段７５、センタキーワード認識手段７６、画像コンテンツ送信手段７７および広告利用履歴情報受信手段７８を有する。
【００４８】
センタサーバ２６の広告利用者情報入力手段７３は、広告事業者２２が提供する広告内容情報を利用する広告利用者の氏名、住所等の個人情報並びに広告利用者が所有する車両２３の識別情報を車両２３に設けられた車載端末４０あるいは広告利用者が別途所有するクライアントからインターネットあるいは無線等の通信手段を介して受信するとともに、広告利用者データベース２９に入力する機能を有する。
【００４９】
ただし、広告事業者２２が広告利用者から郵送あるいは直接書面や口頭による情報伝達手段により広告利用者の個人情報並びに広告利用者が所有する車両２３の識別情報を得て広告利用者データベース２９に入力しても良い。
【００５０】
センタサーバ２６の広告スポンサ入力手段７１は、広告スポンサクライアント２４から広告スポンサ２１の名称、住所、位置情報等の広告スポンサ情報をインターネットや無線等の情報伝達手段２７を介して受信するとともに、広告スポンサ２１の識別情報を追加して広告スポンサデータベース３０に入力する機能を有する。
【００５１】
ただし、広告事業者２２が広告スポンサ２１から郵送あるいは直接書面や口頭により広告スポンサ情報を得て広告スポンサ２１の識別情報を追加して広告スポンサデータベース３０に入力しても良い。
【００５２】
センタサーバ２６の広告内容情報入力手段７２は、広告スポンサ２１の広告スポンサクライアント２４から広告内容情報を受信する一方、広告スポンサデータベース３０から広告内容情報に応じて広告スポンサ情報を入力し、広告スポンサ情報と広告内容情報に含まれる広告内容テキスト情報および音声コンテンツ情報を対応させて必要に応じて編集することにより広告スポンサ２１の位置情報と関連付けられた広告インデックス情報を作成する機能と、作成した広告インデックス情報を広告インデックスデータベース３１に入力する機能とを有する。
【００５３】
広告内容情報入力手段７２により作成される広告インデックス情報は、例えば、広告スポンサ２１の識別情報、名称、商品やサービスのジャンル、緯度および経度等の位置情報、広告内容となる広告内容テキスト情報並びに広告内容の音声コンテンツ情報で構成される。
【００５４】
さらに、広告内容情報入力手段７２は、広告スポンサ２１の広告スポンサクライアント２４から受信した広告内容情報に含まれる画像コンテンツ情報を画像コンテンツデータベース３３に入力する機能を有する。
【００５５】
画像コンテンツデータベース３３に保存される画像コンテンツ情報は静止画コンテンツおよび動画コンテンツのいずれであってもよい。
【００５６】
一方、広告利用者の車両２３に設けられた車載端末４０の車両ルート設定手段５１は、車載端末４０の入力装置から車両２３の目的地の位置情報を受ける一方、カーナビゲーションシステム３５のＧＰＳ受信器３６から車両２３の現在の位置情報を受けて、現在の位置から目的地まで車両２３が移動すべき車両ルート情報を作成する機能と、作成した車両ルート情報を車両２３の識別情報とともに無線器２８を介して送信することによりセンタサーバ２６のエリア入力手段７４に与える機能を有する。
【００５７】
車両ルート設定手段５１による車両ルート情報は、現在の車両２３の位置情報、車両２３が通過する各地点の位置情報および車両２３の目的地における位置情報で構成され、各位置情報はその位置における緯度および経度により表される。
【００５８】
車両ルート設定手段５１による車両ルート情報の作成方法としては、例えば車両２３の現在の位置から目的地までの最短距離とする方法あるいは混雑してない道路を経由する車両ルートとする方法等の方法が挙げられる。
【００５９】
センタサーバ２６のエリア入力手段７４は、車両２３に設けられた車両ルート設定手段５１から各無線器２８を介して送信された車両ルート情報および車両２３の識別情報を入力して、インデックス送信手段７５に与える機能を有する。
【００６０】
インデックス送信手段７５は、エリア入力手段７４から受けた車両ルート情報に基づいて、車両ルート位置から所定の範囲にある広告スポンサ２１の広告インデックス情報を広告インデックスデータベース３１から抽出する機能と、抽出して得られた広告インデックス情報を、車両２３の識別情報に基づいて広告利用者の車両２３に設けられた車載端末４０のインデックス受信手段５２に各無線器２８を介して送信する機能とを有する。
【００６１】
一方、広告利用者の車両２３に設けられた車載端末４０のインデックス受信手段５２は、広告事業者２２側のセンタサーバ２６のインデックス送信手段７５から広告インデックス情報を各無線器２８を介して受信する機能と、受信した広告インデックス情報を車載インデックスデータベース４３に入力する機能とを有する。
【００６２】
車載端末４０の車載キーワード情報作成手段５３は、車載インデックスデータベース４３に保存された広告インデックス情報に含まれる広告内容テキスト情報を入力して広告内容テキスト情報を単語に分割する機能と、分割して得られた単語から接続詞、助動詞、助詞等の補助的な単語を除いた名詞、動詞等の主要な単語のキーワードテキスト情報とその音声情報であるキーワード音声情報で構成される音声テキスト変換情報を作成する機能を有する。
【００６３】
すなわち、音声テキスト変換情報は音声認識辞書データとして利用することが可能であり、各音声認識辞書データにより音声認識辞書が形成される。
【００６４】
尚、車載キーワード情報作成手段５３により作成される音声テキスト変換情報は「醤油」のような単一の単語に関するもの限らず、「醤油ラーメン」のように複数の複合的な単語に関するものであってもよい。
【００６５】
また、車載キーワード情報作成手段５３は、作成した音声テキスト変換情報を車載キーワードデータベース４４に入力する機能を有する。
【００６６】
尚、車載キーワード情報作成手段５３は、車載キーワードデータベース４４を参照することにより、既に車載キーワードデータベース４４に保存されていないキーワードテキスト情報についての音声テキスト変換情報のみを作成して車載キーワードデータベース４４に保存するように構成してもよい。
【００６７】
車載端末４０のスイッチ手段５０は、車両２３に設けられた音声入力装置４１に入力された広告利用者の音声を音声情報として入力する機能と、入力された広告利用者の音声情報に広告情報の提供を要求する旨の単語が含まれている場合には、広告情報の利用に必要な情報の入力を音声出力装置４２から音声により要求する機能とを有する。
【００６８】
例えば、音声入力装置４１に「検索」という単語が入力された場合には、「何を検索しますか？」という音声を出力する。
【００６９】
車載端末４０の車載キーワード認識手段５４は、車両２３に設けられた音声入力装置４１に入力された広告利用者の音声情報を受けて、車載キーワードデータベース４４に保存された音声テキスト変換情報を参照することにより、広告利用者の音声情報に含まれるキーワードをキーワードテキスト情報に変換する機能を有する。
【００７０】
さらに、車載キーワード認識手段５４は、広告利用者の音声情報をキーワードテキスト情報に変換することができる場合には、変換したキーワードテキスト情報をエリア確定手段５５に与える一方、広告利用者の音声情報をキーワードテキスト情報に変換することができない場合には、広告利用者の音声情報を車両２３およびセンタサーバ２６に接続された各無線器２８を介して送信することによりセンタサーバ２６のセンタキーワード認識手段７６に与える機能を有する。
【００７１】
また、車載キーワード認識手段５４は、過去に音声入力装置４１に入力された広告利用者の音声情報から得られたキーワードテキスト情報に基づいて車載キーワードデータベース４４の音声テキスト変換情報に優先適用情報を追加する機能を備えるように構成してもよい。
【００７２】
例えば、車載キーワード認識手段５４により得られたより最近の、例えば同日に得られたキーワードテキスト情報に対して、より優先順位の高い優先適用情報を追加する。そして、再度音声入力装置４１に入力された広告利用者の音声情報が複数のキーワードテキスト情報のうちの１つに変換されるべきであると認識されたが、いずれのキーワードテキスト情報に変換すべきかの判断が困難な場合には、より優先順位の高い優先適用情報を有するキーワードテキスト情報に変換する。
【００７３】
例えば、広告利用者により入力された音声情報を「九州」に変換することによりキーワードテキスト情報「九州」の優先順位が高く設定される。さらに広告利用者により再度入力された音声情報が「九州」であるか「甲州」であるかの判断が困難な場合には、車載キーワード認識手段５４は、優先順位の高い「九州」に変換する。
【００７４】
また別の例としては、車載キーワード認識手段５４において、より頻繁に得られたキーワードテキスト情報に対して、より優先順位の高い優先適用情報を追加する。そして、同様に広告利用者の音声情報の判断が困難な場合には、より優先順位の高い優先適用情報を有するキーワードテキスト情報に変換する。
【００７５】
車載キーワード認識手段５４において、キーワードテキスト情報に優先適用情報を追加する際の条件は、時間や頻度に限らず任意の条件に設定することができる。
【００７６】
一方、センタサーバ２６に接続されたマスターキーワード情報データベース３２には、予め名詞、動詞等の単語のテキスト情報とその音声情報で構成されるマスターキーワード情報が保存される。マスターキーワード情報データベース３２に保存されるマスターキーワード情報は、各単語のテキスト情報と音声情報とがそれぞれ関連付けられ、必要に応じてテキスト情報や読み仮名情報が追加される。ただし、マスターキーワード情報は、日本語に限らず任意の原語とすることが可能であり、読み仮名の代わりに発音記号等の音声情報を表現する情報とすることもできる。
【００７７】
センタサーバ２６のセンタキーワード認識手段７６は、車載端末４０の車載キーワード認識手段５４から各無線器２８、２８を介して受信した広告利用者の音声情報を受けて、広告事業者２２側のマスターキーワード情報データベース３２に保存されたマスターキーワード情報を参照することにより、広告利用者の音声情報をキーワードテキスト情報に変換することができる場合には、広告利用者の音声情報に含まれるキーワードをキーワードテキスト情報に変換する一方、広告利用者の音声情報をキーワードテキスト情報に変換することができない場合には、音声認識不能情報を作成する機能を有する。
【００７８】
さらに、センタキーワード認識手段７６は、広告利用者の音声情報を変換して得られたキーワードテキスト情報を各無線器２８、２８を介して送信することにより車載端末４０のエリア確定手段５５に与える一方、音声認識不能情報を車載端末４０の再音声入力要求手段５６に与える機能を有する。
【００７９】
車載端末４０の再音声入力要求手段５６は、センタサーバ２６のセンタキーワード認識手段７６から音声認識不能情報を受けた場合には、再度音声入力装置４１に音声入力すべき旨を広告利用者に知らせるための再音声入力要求情報をモニタ３９あるいは音声出力装置４２に画像情報あるいは音声情報として与える機能を有する。
【００８０】
車載端末４０のエリア確定手段５５は、車載端末４０の車載キーワード認識手段５４あるいはセンタサーバ２６のセンタキーワード認識手段７６からキーワードテキスト情報を受けると、ＧＰＳ受信器３６から現在の車両２３の位置情報を入力して、入力した車両２３の位置情報と車両ルート情報とに基づいて所定の範囲を確定する機能を有する。
【００８１】
エリア確定手段５５は、確定した範囲をエリア確定情報としてキーワードテキスト情報とともにインデックス抽出手段５７に与える機能を有する。
【００８２】
尚、エリア確定手段５５は、車両ルート設定手段５１により車両２３のルートが設定されていない場合には、車両ルート情報に関わらず別途確定した範囲をエリア確定情報としてセンタサーバ２６のインデックス送信手段７５に送信するように設定することができる。このため、インデックス送信手段７５がエリア確定手段５５からエリア確定情報を受信し、エリア確定情報の範囲内の広告インデックス情報がインデックス送信手段７５から車載端末４０のインデックス受信手段５２に送信されることにより、車両２３のルートが設定されていない場合であっても、車載インデックスデータベース４３にエリア確定情報の範囲内の広告インデックス情報を保存することができる。
【００８３】
車載端末４０のインデックス抽出手段５７は、エリア確定手段５５からキーワードテキスト情報とともにエリア確定情報を受けると、車載インデックスデータベース４３に保存された広告インデックス情報を参照し、広告インデックス情報に含まれる広告内容テキスト情報の一部とキーワードテキスト情報とが一致し、かつ広告インデックス情報に含まれる広告スポンサ２１の位置情報がエリア確定情報の範囲内にあり条件を満たす場合には、広告インデックス情報を抽出する機能を有する。
【００８４】
尚、広告インデックス情報に含まれる広告スポンサ２１の位置情報には、現実の広告スポンサ２１の住所に加えてあるいは代えて、エリア確定情報の範囲内に含めるために、別途仮の広告スポンサ２１の仮想位置情報、すなわち広告インデックス情報を抽出するために使用する広告スポンサ２１の位置情報を追加させることができる。
【００８５】
例えば、現実の広告スポンサ２１の位置に近い道幅が一定以上の幹線道路付近に仮の広告スポンサ２１の位置情報を追加させることにより、本来エリア確定情報の範囲外であっても、広告スポンサ２１近傍の幹線道路が車両２３のルートとして設定された場合には、その広告スポンサ２１の位置情報をエリア確定情報の範囲内に含めることができる。
【００８６】
広告スポンサ２１の仮想位置情報は予め広告スポンサ２１からセンタサーバ２６に提供される。
【００８７】
さらに、インデックス抽出手段５７は、抽出した各広告インデックス情報を広告スポンサ位置表示手段５８に与える機能を有する。
【００８８】
車載端末４０の広告スポンサ位置表示手段５８は、インデックス抽出手段５７から受けた各広告インデックス情報に含まれる広告スポンサ２１の位置情報に基づいて、各広告スポンサ２１の位置を記号や文字によりそれぞれモニタ３９に表示する機能と、各広告インデックス情報を広告スポンサ選択要求手段５９に与える機能とを有する。
【００８９】
広告スポンサ位置表示手段５８は、広告スポンサ２１の位置をモニタ３９に表示する際、広告利用者に各広告スポンサ２１の識別を可能とするために、必要に応じて広告スポンサ２１の名称や番号等の識別情報を広告スポンサ２１の位置とともにそれぞれ表示する機能を有する。
【００９０】
番号等の識別情報をモニタ３９に表示させる方法としては、例えば、エリア確定情報が設定される都度、エリア確定情報の範囲内から抽出された各広告インデックス情報に連続番号を割り当てる方法が挙げられる。
【００９１】
車載端末４０の広告スポンサ選択要求手段５９は、広告スポンサ位置表示手段５８から各広告インデックス情報を受けると、受けた各広告インデックス情報の個数とともに広告利用者が提供を希望する広告インデックス情報の選択を音声出力装置４２を介して音声により要求する機能と、広告利用者の音声により音声入力装置４１に入力された広告インデックス情報の選択要求に対応する単一あるいは複数の広告インデックス情報を距離計算手段６１に与える機能とを有する。
【００９２】
車載端末４０の距離計算手段６１は、広告スポンサ選択要求手段５９から広告利用者により選択された広告インデックス情報を受けると、ＧＰＳ受信器３６から現在の車両２３の位置情報を入力することにより、現在の車両２３の位置から各広告インデックス情報に含まれる広告スポンサ２１の位置までの距離を計算する機能と、計算して得られた距離を距離情報として各広告インデックス情報とともに画像コンテンツ要求手段６３に与える機能を有する。
【００９３】
一方、車載端末４０に接続された広告パターンデータベース４５には、予め現在の車両２３の位置から広告スポンサ２１までの距離に応じた広告利用者に提供すべき広告内容の詳細度および広告方法の広告パターンが保存される。
【００９４】
広告パターンデータベース４５に保存される広告パターンの例としては、例えば、車両２３の位置から広告スポンサ２１までの距離が５００ｍから２０００ｍである場合には、広告内容を音声のみで広告利用者に知らせ、車両２３の位置から広告スポンサ２１までの距離が０ｍ〜５００ｍである場合には、広告内容を音声、動画および静止画で広告利用者に知らせる広告パターンが挙げられる。
【００９５】
また、広告パターンの別の例としては、例えば、車両２３の位置から広告スポンサ２１までの距離が１０００ｍから２０００ｍである場合には、広告内容を音声のみで、５００ｍから１０００ｍである場合には、広告内容を音声、動画および静止画で、０ｍから５００ｍである場合には、広告内容を音声、動画および更に詳細な静止画により広告利用者に知らせる広告パターンが挙げられる。
【００９６】
すなわち、例えば、現在の車両２３の位置から広告スポンサ２１の位置までの距離がより小さくなり、車両２３が広告スポンサ２１に近づくにつれて、より詳細な広告内容が広告利用者に提供されるように設定される。
【００９７】
同様な車両２３の位置から広告スポンサ２１までの距離と広告方法が関連付けられた種々の単一あるいは複数の広告パターンが予め広告パターンデータベース４５に保存される。
【００９８】
車載端末４０の広告パターン選定手段６２は、予め車載端末４０から入力された広告パターン選定指令情報あるいは車両２３の走行状態に応じて広告パターンデータベース４５に保存された各広告パターンから適切な広告パターンを選定する機能と、選定した広告パターンを広告パターン情報として画像コンテンツ要求手段６３に与える機能とを有する。
【００９９】
車載端末４０の画像コンテンツ要求手段６３は、広告パターン選定手段６２から受けた広告パターン情報を参照することにより、距離計算手段６１から受けた各広告インデックス情報および車両２３から各広告スポンサ２１までのそれぞれの距離情報に基づいて、広告利用者に提供すべき広告内容を判断し、静止画あるいは動画による広告が必要な場合には、広告内容の画像コンテンツ要求情報を、各無線器２８、２８を介してセンタサーバ２６の画像コンテンツ送信手段７７に与える一方、各広告インデックス情報を音声コンテンツ出力手段６０に与える機能を有する。
【０１００】
車載端末４０の音声コンテンツ出力手段６０は、画像コンテンツ要求手段６３から受けた各広告インデックス情報に含まれる音声コンテンツ情報をそれぞれ音声出力装置４２に与えることにより、音声により広告内容を広告利用者に知らせる機能と、各広告インデックス情報を目的地設定手段６６に与える機能を有する。
【０１０１】
また、音声コンテンツ出力手段６０は、音声コンテンツ情報を音声出力装置４２から出力させた旨の情報、その時の日時や時刻、車両２３の位置等の広告利用状況情報を広告利用履歴記録手段６７に与える機能を有する。
【０１０２】
センタサーバ２６の画像コンテンツ送信手段７７は、車載端末４０の画像コンテンツ要求手段６３から画像コンテンツ要求情報を受けると、画像コンテンツデータベース３３から画像コンテンツ要求情報に応じた広告スポンサ２１の画像コンテンツ情報を入力する機能と、入力した画像コンテンツ情報を無線器２８、２８を介して車載端末４０の画像コンテンツ表示手段６５に与える機能を有する。
【０１０３】
画像コンテンツ送信手段７７は、画像コンテンツ要求情報に応じて静止画コンテンツおよび動画コンテンツの一方あるいは双方を画像コンテンツ情報として画像コンテンツ表示手段６５に与えることができるように構成される。
【０１０４】
車載端末４０の走行状態判定手段６４は、広告利用者の車両２３の走行状態は判定する機能と、車両２３の走行状態が停止状態であると判定した場合には、画像コンテンツ表示手段６５に画像コンテンツ表示指令情報を与える一方、車両２３の走行状態が走行中である場合には画像コンテンツ表示中断指令情報を与える機能を有する。
【０１０５】
車載端末４０の画像コンテンツ表示手段６５は、画像コンテンツ送信手段７７から画像コンテンツ情報を受けるとともに走行状態判定手段６４から画像コンテンツ表示指令情報あるいは画像コンテンツ表示中断指令情報を受けて、画像コンテンツ表示指令情報を受けた場合には画像コンテンツ情報をモニタ３９に与えることにより表示させる一方、画像コンテンツ表示中断指令情報を受けた場合には画像コンテンツ情報の表示を中断する機能を有する。
【０１０６】
また、画像コンテンツ表示手段６５は、画像コンテンツ情報をモニタ３９に表示した旨の情報、その時の日時や時刻、車両２３の位置等の広告利用状況情報を広告利用履歴記録手段６７に与える機能を有する。
【０１０７】
車載端末４０の目的地設定手段６６は、音声コンテンツ出力手段６０から各広告インデックス情報を受けると、各広告インデックス情報に含まれる各広告スポンサ２１の位置のいずれかに車両２３の目的地を設定すべきか否かを広告利用者に対して音声出力装置４２を介して音声により確認する機能と、広告利用者が選択した広告スポンサ２１に位置に車両２３の目的地を設定すべき要求が音声入力装置４１を介して音声により入力された場合には、車両２３の目的地を広告スポンサ２１の位置に設定する機能を有する。
【０１０８】
また、目的地設定手段６６は、各広告インデックス情報に含まれる各広告スポンサ２１の位置のいずれかに車両２３の目的地を設定した場合には、その旨およびその時の日時や時刻、車両２３の位置情報等の広告利用状況情報を広告利用履歴記録手段６７に与える機能を有する。
【０１０９】
車載端末４０の広告利用履歴記録手段６７は、広告利用者に対して音声入力装置４１に音声入力すべき内容が残っているか否かを確認する機能と、音声入力すべき内容がない場合には、音声コンテンツ出力手段６０、画像コンテンツ表示手段６５、目的地設定手段６６あるいはエージェント手段６８から受けた広告利用状況情報を編集して広告利用履歴情報を作成する機能と、作成した広告利用履歴情報を広告利用履歴データベース４７に入力する機能とを有する。
【０１１０】
車載端末４０のエージェント手段６８は、必要に応じて他の車載端末４０の構成要素を利用することにより、一定の条件に従って、広告インデックス情報を自動的に広告スポンサ選択要求手段５９に与える機能を有する。
【０１１１】
例えば、エージェント手段６８は、広告利用履歴情報を参照して、広告利用者が過去にキーワードを音声入力した時間情報を検索する。さらに、ＧＰＳ受信器３６から受けた現在の時間が広告利用履歴情報の時間情報と一致する場合には、同じキーワードのキーワードテキスト情報をインデックス抽出手段５７に与えることにより、キーワードテキスト情報を有する広告スポンサ２１の位置をモニタ３９に表示させることができる。すなわち、エージェント手段６８は、広告利用履歴情報のキーワードテキスト情報と時間情報を条件として広告インデックス情報を広告スポンサ選択要求手段５９に与える。
【０１１２】
一方、別の例として、エージェント手段６８は、広告利用履歴情報並びに車載インデックスデータベース４３を参照し、車両２３のルート上において過去に広告利用者が利用した広告インデックス情報が更新されている場合には、更新された広告インデックス情報を自動的に広告スポンサ選択要求手段５９に与える。すなわち、エージェント手段６８は、広告インデックス情報の更新情報を条件として広告インデックス情報を広告スポンサ選択要求手段５９に与える。
【０１１３】
さらに、別の例として、エージェント手段６８は、広告利用者と性別、年齢層、嗜好ジャンル、同乗者等の同属性や、これらの同属性を有する他の広告利用者により目的地に設定される頻度を条件として広告インデックス情報を自動的に広告スポンサ選択要求手段５９に与える。
【０１１４】
広告利用者の属性情報は広告利用者属性データベース４８に保存される。広告利用者の属性情報の例としては、広告利用者の性別、生年月日、仕事用、レジャー用、通勤用、通学用等の車両２３の利用目的、配偶者、友人、家族等の同乗者の有無並びに音楽、映画、食べ歩き、アウトドア、ファッション等の広告利用者の嗜好ジャンルが挙げられる。
【０１１５】
エージェント手段６８が広告インデックス情報を広告スポンサ選択要求手段５９に与える際の条件は、エージェント条件情報として予めエージェント条件データベース４６に保存される。これによりエージェント手段６８は、エージェント条件データベース４６に保存されたエージェント条件情報に基づいて選択した広告インデックス情報を広告スポンサ選択要求手段５９に与えることができる。
【０１１６】
エージェント手段６８の動作開始条件は広告利用者による音声入力あるいはスイッチ等の入力手段により設定することができる。このため、必要に応じてエージェント手段６８は音声による対話形式により広告利用者にエージェント手段６８のオンオフ切換情報を要求するように構成してもよい。
【０１１７】
また、エージェント手段６８は広告インデックス情報を広告スポンサ選択要求手段５９に与えることにより広告利用者に広告内容情報を提供した旨の情報、その時の日時や時刻、車両２３の位置等の広告利用状況情報を広告利用履歴記録手段６７に与える機能を有する。
【０１１８】
車載端末４０の車両通過履歴記録手段７０は、広告利用者が乗車する車両２３の通過履歴情報を車両通過履歴データベース４９に入力する機能を有する。
【０１１９】
車載端末４０の広告利用履歴情報送信手段６９は、広告利用履歴データベース４７に保存された過去の広告利用履歴情報の一部あるいは全部を定期的にあるいは送信指令情報に基づいて各無線器２８、２８を介して送信することにより、センタサーバ２６の広告利用履歴情報受信手段７８に与える機能を有する。
【０１２０】
尚、広告利用履歴情報送信手段６９は、必要に応じて広告利用履歴情報に車両通過履歴データベース４９に保存された車両２３の通過履歴情報あるいは広告利用者属性データベース４８に保存された広告利用者の属性情報を関連付けて広告利用履歴情報受信手段７８に与えることができる。
【０１２１】
センタサーバ２６の広告利用履歴情報受信手段７８は、車載端末４０の広告利用履歴情報送信手段６９から広告利用履歴情報を受けて、必要に応じて一定の条件に従って編集あるいは集計することにより広告利用履歴集計情報を作成するとともに広告利用履歴集計データベース３４に入力する機能を有する。
【０１２２】
次に広告システム２０の作用について説明する。
【０１２３】
図３は図１に示す広告システム２０において広告利用者の個人情報、広告スポンサ情報、広告インデックス情報および画像コンテンツ情報を作成して保存するまでの流れの一例を示すフローチャートである。
【０１２４】
ステップＳ１では、広告事業者２２が提供する広告内容情報の利用を希望する広告利用者が、予め氏名、住所等の個人情報並びに広告利用者が所有する車両２３の識別情報を、例えば車両２３に設けられた車載端末４０あるいは広告利用者が別途所有するクライアントからインターネットあるいは無線等の通信手段により広告事業者２２に提供する。
【０１２５】
センタサーバ２６の広告利用者情報入力手段７３は、広告利用者の個人情報並びに広告利用者が所有する車両２３の識別情報を広告利用者データベース２９に入力する。
【０１２６】
一方、ステップＳ２では、商店等の広告スポンサ２１が、例えば広告スポンサクライアント２４からインターネットや無線等の情報伝達手段２７により広告スポンサ２１の名称、住所、位置情報等の広告スポンサ情報をセンタサーバ２６の広告スポンサ入力手段７１に与える。
【０１２７】
センタサーバ２６の広告スポンサ入力手段７１は、広告スポンサ２１の広告スポンサ情報に広告スポンサ２１の識別情報を追加して広告スポンサデータベース３０に入力する。
【０１２８】
次にステップＳ３では、センタサーバ２６の広告内容情報入力手段７２が、広告スポンサ２１の広告スポンサクライアント２４から広告内容情報を受信する一方、広告スポンサデータベース３０から広告内容情報に応じて広告スポンサ情報を入力する。広告内容情報入力手段７２は、広告スポンサ情報と広告内容情報に含まれる広告内容テキスト情報および音声コンテンツ情報を対応させて必要に応じて編集することにより広告スポンサ２１の位置情報と関連付けられた広告スポンサ２１の識別情報、商品やサービスのジャンル、緯度および経度等の位置情報、広告内容となる広告内容テキスト情報および広告内容の音声コンテンツ情報等の広告インデックス情報を作成する。広告内容情報入力手段７２は、作成した広告インデックス情報を広告インデックスデータベース３１に入力する。
【０１２９】
また、ステップＳ４において、広告内容情報入力手段７２は、広告スポンサ２１の広告スポンサクライアント２４から受信した広告内容情報に含まれる静止画コンテンツおよび動画コンテンツで構成される画像コンテンツ情報を画像コンテンツデータベース３３に入力する。
【０１３０】
次に、広告利用者は車両２３に乗車する。
【０１３１】
図４は図１に示す広告システム２０において車両２３の目的地を設定することにより、広告スポンサ２１の広告インデックス情報を受信して音声テキスト変換情報を作成する方法の一例を示すフローチャートである。
【０１３２】
まず、ステップＳ５において、広告利用者が車載端末４０の入力装置により車両２３の目的地を入力設定する。
【０１３３】
このため、ステップＳ６において、広告利用者の車両２３に設けられた車載端末４０の車両ルート設定手段５１は、車載端末４０の入力装置から車両２３の目的地の位置情報を受ける一方、カーナビゲーションシステム３５のＧＰＳ受信器３６から車両２３の現在の位置情報を受ける。
【０１３４】
さらに、車両ルート設定手段５１は、例えば現在の車両２３の位置から目的地までの距離が最短となるような経路を設定し、現在の車両２３の緯度および経度等の位置情報、車両２３が通過する各地点の位置情報および車両２３の目的地における位置情報で構成される車両ルート情報を作成する。
【０１３５】
さらに、ステップＳ７において、車両ルート設定手段５１は、車両ルート情報を車両２３の識別情報とともに無線器２８、２８を介して送信することによりセンタサーバ２６のエリア入力手段７４に与える。
【０１３６】
一方、ステップＳ８において、センタサーバ２６のエリア入力手段７４は、車両２３に設けられた車両ルート設定手段５１から各無線器２８、２８を介して車両ルート情報および車両２３の識別情報を受信する。さらに、エリア入力手段７４は、受信した車両ルート情報および車両２３の識別情報をインデックス送信手段７５に与える。
【０１３７】
次にステップＳ９において、インデックス送信手段７５は、エリア入力手段７４から受けた車両ルート情報に基づいて、広告インデックスデータベース３１の広告インデックス情報を検索する。
【０１３８】
そして、ステップＳ１０において、車両２３の車両ルート位置から所定の範囲に該当する広告インデックス情報が存在する場合には、広告インデックス情報を広告インデックスデータベース３１から抽出する。
【０１３９】
図５は図４においてセンタサーバ２６のインデックス送信手段７５により広告インデックスデータベース３１から広告スポンサ２１の広告インデックス情報を抽出する詳細方法の一例を示すフローチャートである。
【０１４０】
まず、図５のステップＳ１１で、センタサーバ２６のエリア入力手段７４が、車両２３の車両ルート設定手段５１から各無線器２８、２８を介して車両ルート情報および車両２３の識別情報を受信する。エリア入力手段７４は、受信した車両ルート情報および車両２３の識別情報をインデックス送信手段７５に与える。
【０１４１】
次に、ステップＳ１２において、インデックス送信手段７５は、エリア入力手段７４から受けた車両ルート情報に含まれる現在の車両２３の位置情報すなわち車両２３の出発地の位置情報、車両２３が通過する各地点の位置情報並びに車両２３の目的地における位置情報を再認識する。
【０１４２】
このため、インデックス送信手段７５は、車両２３の出発地の位置情報が例えば北緯３５／３８／２７．６、東経１３９／３２／２９．２であり、車両２３の目的地の位置情報は北緯３５／３９／５３．８、東経１３９／４６／４９．７であることを認識する。同様に、車両２３が通過する地点の１つであるポイント１の位置情報が北緯３５／４１／５７．３、東経１３９／３７／５２．４であり、別の通過地点であるポイント２の位置情報が北緯３５／３８／５．６、東経１３９／４３／１１．６であることがインデックス送信手段７５により再認識される。
【０１４３】
さらに、ステップＳ１３において、インデックス送信手段７５は、車両２３のルートに沿う例えば幅２ｋｍの領域、車両２３の出発地を中心とする半径１ｋｍの円状の領域および車両２３の目的地を中心とする半径１ｋｍの円状の領域を作成する。
【０１４４】
そして、ステップＳ１４では、インデックス送信手段７５が、車両２３のルートに沿う領域の各頂点ａ，ｂ，ｃ，ｄ，ｈ，ｉ，ｊ，ｋ、車両２３の出発地を中心とする円を例えば４分割して得られた円周上の各地点ｌ，ｍ，ｎ並びに車両２３の目的地を中心とする円を例えば４分割して得られた円周上の各地点ｅ，ｆ，ｇの各位置情報である緯度と経度とをそれぞれ計算する。
【０１４５】
この結果、車両２３のルートに沿う領域の頂点ａの位置情報である北緯３５／３８／３０．６、東経１３９／３３／１９．２、頂点ｂの位置情報である北緯３５／３９／４４．４、東経１３９／３５／１５．２、頂点ｃの位置情報である北緯３５／４０／５２．４、東経１３９／３６／３５．５が求められる。同様に他の地点における緯度と経度とが求められる。
【０１４６】
また、ステップＳ１５において、インデックス送信手段７５は、各地点で囲まれた領域を広告インデックス情報を抽出する際の対象エリアとして条件設定する。
【０１４７】
そして、ステップＳ１６において、インデックス送信手段７５は、広告インデックスデータベース３１を検索し、広告インデックス情報に含まれる広告スポンサ２１の位置情報が設定した対象エリア内である場合には、条件に該当する各広告インデックス情報がそれぞれ抽出される一方、広告スポンサ２１の位置情報が対象エリア内となる条件に該当する広告インデックス情報が存在しない場合には、広告インデックス情報は抽出されない。
【０１４８】
各広告インデックス情報は、例えば識別のための広告ＩＤ、広告スポンサ２１の名称である店名、広告スポンサ２１が販売する商品あるいは提供するサービスのジャンル、広告スポンサ２１の緯度および経度等の位置情報を有する。
【０１４９】
例えば広告ＩＤがＡ０００１の広告インデックス情報は、広告スポンサ２１の名称である店名が「らーめん○○」、広告スポンサ２１が販売する商品のジャンルが「らーめん」、広告スポンサ２１の位置情報は北緯３５／３８／３０．６、東経１３９／３３／１９．２であることが分かる。
【０１５０】
同様に、広告ＩＤがＡ００２０の広告インデックス情報は、広告スポンサ２１の名称である店名が「Ｃａｆｅ△△」、広告スポンサ２１が販売する商品のジャンルが「喫茶」、広告スポンサ２１の位置情報は北緯３５／３９／４４．４、東経１３９／３５／１５．２であり、広告ＩＤがＡ００２１の広告インデックス情報は、広告スポンサ２１の名称である店名が「□□ストア」、広告スポンサ２１が販売する商品のジャンルが「電器店」、広告スポンサ２１の位置情報は北緯３５／４０／５２．４、東経１３９／３６／３５．５であることが分かる。
【０１５１】
このように図４のステップＳ１０において、インデックス送信手段７５は、広告インデックスデータベース３１を検索し、広告インデックス情報を抽出する。
【０１５２】
そして、ステップＳ１７では、インデックス送信手段７５が、抽出した各広告インデックス情報を車両２３の識別情報に基づいて広告利用者の車両２３に設けられた車載端末４０のインデックス受信手段５２に各無線器２８、２８を介して送信する。
【０１５３】
このため、ステップＳ１８において、車両２３に設けられた車載端末４０のインデックス受信手段５２がセンタサーバ２６のインデックス送信手段７５から各広告インデックス情報を各無線器２８、２８を介して受信する。そして、インデックス受信手段５２が受信した各広告インデックス情報から車載キーワード情報作成手段５３により音声テキスト変換情報が作成されて車載キーワードデータベース４４に入力される。
【０１５４】
図６は図４おいて車載端末４０の車載キーワード情報作成手段５３により音声テキスト変換情報を作成する詳細方法の一例を示すフローチャートである。
【０１５５】
まず、図６のステップＳ１９において、インデックス受信手段５２がインデックス送信手段７５から各広告インデックス情報を受信する。各広告インデックス情報はそれぞれ広告内容テキスト情報を含む。
【０１５６】
例えば、広告ＩＤがＡ０００１の広告インデックス情報は、「本場九州・・」で始まる広告内容テキスト情報を有する。同様に、広告ＩＤがＡ００２０の広告インデックス情報は、「ＯＬに人気の・・」で始まる広告内容テキスト情報を有し、広告ＩＤがＡ００２１の広告インデックス情報は、「修理から点検まで・・」で始まる広告内容テキスト情報を有する。
【０１５７】
さらにステップＳ２０において、インデックス受信手段５２は、受信した各広告インデックス情報を車載インデックスデータベース４３に入力する。このため、車載インデックスデータベース４３に車両２３のルート上に存在する各広告インデックス情報が保存される。
【０１５８】
次にステップＳ２１において、車載キーワード情報作成手段５３が、車載インデックスデータベース４３に保存された各広告インデックス情報から広告内容テキスト情報をそれぞれ入力する。
【０１５９】
例えば、広告ＩＤがＡ０００１の広告インデックス情報からは、「本場九州のラーメン、こってりしたとんこつスープで大評判」という広告内容テキスト情報が入力される。同様に、広告ＩＤがＡ００２０の広告インデックス情報からは、「ＯＬに人気のランチタイム・ケーキサービス」という広告内容テキスト情報が入力され、広告ＩＤがＡ００２１の広告インデックス情報からは、「修理から点検まで格安で」という広告内容テキスト情報が入力される。
【０１６０】
さらに、ステップＳ２２において、車載キーワード情報作成手段５３が、入力した広告内容テキスト情報を単語に分割するとともに、分割して得られた単語から接続詞、助動詞、助詞等の補助的な単語を削除する。すなわち、広告内容テキスト情報を名詞、動詞等の主要な単語のキーワードテキスト情報に分解する。
【０１６１】
例えば、広告ＩＤがＡ０００１の広告インデックス情報に含まれる広告内容テキスト情報である「本場九州のラーメン、こってりしたとんこつスープで大評判」は、「本場／九州／ラーメン／こってり／とんこつ／スープ／大評判」に分解される。
【０１６２】
同様に、広告ＩＤがＡ００２０の広告インデックス情報に含まれる広告内容テキスト情報である「ＯＬに人気のランチタイム・ケーキサービス」は、「ＯＬ／人気／ランチタイム／ケーキ／サービス」に分解され、広告ＩＤがＡ００２１の広告インデックス情報に含まれる広告内容テキスト情報である「修理から点検まで格安で」は、「修理／点検／格安」に分解される。
【０１６３】
そして、ステップＳ２３において、車載キーワード情報作成手段５３が、広告内容テキスト情報を分解して得られた各キーワードテキスト情報にそれぞれその音声情報であるキーワード音声情報を関連付けて追加することにより音声テキスト変換情報を作成する。音声テキスト変換情報には、必要に応じて各キーワードテキスト情報の読み仮名情報が追加される。
【０１６４】
例えば、広告ＩＤがＡ０００１の広告インデックス情報から得られた各キーワードテキスト情報である「本場／九州／ラーメン／こってり／とんこつ／スープ／大評判」のうち「本場」は、ファイル名が「ｈｏｎｎｂａ．ｗｍａ」で示される音声テキスト変換情報と関連付けられるとともに、読み仮名情報である「ほんば」が追加される。同様に、キーワードテキスト情報「九州」は、ファイル名が「ｋｙｕｕｓｙｕｕ．ｗｍａ」で示される音声テキスト変換情報と関連付けられるとともに、読み仮名情報である「きゅうしゅう」が追加され、キーワードテキスト情報「こってり」は、ファイル名が「ｋｏｔｔｅｒｉ．ｗｍａ」で示される音声テキスト変換情報と関連付けられるとともに、読み仮名情報である「こってり」が追加される。
【０１６５】
ここで、車載キーワード情報作成手段５３は、車載キーワードデータベース４４を参照し、既に保存されている音声テキスト変換情報のキーワードテキスト情報と同一のキーワードテキスト情報については、音声テキスト変換情報の作成対象からジ除外する。
【０１６６】
例えば、車載キーワードデータベース４４に既にキーワードテキスト情報「らーめん」についての音声テキスト変換情報が保存されている場合には、広告インデックス情報から得られた各キーワードテキスト情報に「らーめん」が含まれていても削除し、再度の作成を回避させる。
【０１６７】
さらに、車載キーワード情報作成手段５３が作成した音声テキスト変換情報を車載キーワードデータベース４４に入力する。
【０１６８】
このため、車載キーワードデータベース４４に未だ保存されていない各音声テキスト変換情報が、車載キーワード情報作成手段５３により作成され、過去に既に保存された各音声テキスト変換情報に追加されて車載キーワードデータベース４４に保存される。
【０１６９】
また、このとき車載キーワード情報作成手段５３は、新規に車載キーワードデータベース４４に入力した音声テキスト変換情報に優先順位の高い優先適用情報を追加する。同様に、車載キーワードデータベース４４に過去に既に保存されており重複するため再度入力されなかった音声テキスト変換情報についても優先順位の高い優先適用情報を追加する。
【０１７０】
例えば、広告利用者により入力された音声情報から得られる音声テキスト変換情報である「らーめん」は、既に車載キーワードデータベース４４に保存されているため、新規に音声テキスト変換情報として追加されないが、代わりに優先順位の高い優先適用情報が追加される。
【０１７１】
このため、優先順位の高いキーワードテキスト情報に相当する音声情報の認識率を向上させることができる。
【０１７２】
図７は図１に示す広告システム２０において車両２３に乗車した広告利用者が広告内容情報を得て広告スポンサ２１に目的地を設定するまでの流れの一例を示すフローチャートである。
【０１７３】
まず、図７に示すステップＳ２４において広告利用者は車両２３に設けられた音声入力装置４１に音声により「検索」という単語を入力する。
【０１７４】
このため、ステップＳ２５において車載端末４０のスイッチ手段５０が、音声入力装置４１に入力された広告利用者の音声を音声情報として入力するとともに、「検索」という単語を認識し、広告情報の利用に必要な情報の入力を音声出力装置４２を介して音声により広告利用者に要求する。
【０１７５】
また、モニタ３９には地図情報とともに現在の車両２３の位置が表示される。
【０１７６】
スイッチ手段５０は、例えば「検索ですね。何を検索しますか？」という内容の音声により広告情報の利用に必要な情報の入力を広告利用者に要求する。
【０１７７】
このため、ステップＳ２６において広告利用者は、スイッチ手段５０の要求に従って音声入力装置４１を介して音声により「ラーメン」と入力する。
【０１７８】
さらに、広告利用者の音声入力に応じた広告内容情報が広告システム２０により提供される。
【０１７９】
図８は図７において車両２３に乗車した広告利用者が音声によりキーワードを入力することにより広告内容情報を提供し、さらに広告利用履歴情報を作成して広告利用履歴データベース４７に入力する際の方法の一例を示すフローチャートである。
【０１８０】
図８に示すステップＳ２７において、音声入力装置４１に入力された広告利用者の音声情報が車載キーワード認識手段５４により受信される。
【０１８１】
さらに、ステップＳ２８において、車載キーワード認識手段５４は、入力された広告利用者の音声情報に基づいて車載キーワードデータベース４４に保存された音声テキスト変換情報を参照する。
【０１８２】
そして、ステップＳ２９において車載キーワード認識手段５４は、入力された広告利用者の音声情報がキーワードテキスト情報に変換することができるか否かを判定する。
【０１８３】
ここで、ステップＳ３０において車載キーワード認識手段５４は、広告利用者の音声情報をキーワードテキスト情報に変換することができる場合には、広告利用者の音声情報をキーワードテキスト情報に変換するとともにエリア確定手段５５に与える。
【０１８４】
一方、ステップＳ３１において車載キーワード認識手段５４は、広告利用者の音声情報をキーワードテキスト情報に変換することができない場合には、広告利用者の音声情報を車両２３およびセンタサーバ２６に接続された各無線器２８、２８を介して送信することによりセンタサーバ２６のセンタキーワード認識手段７６に与える。
【０１８５】
そして、ステップＳ３２において、センタサーバ２６のセンタキーワード認識手段７６が広告利用者の音声情報を車載キーワード認識手段５４から受信する。センタキーワード認識手段７６は、マスターキーワード情報データベース３２に保存されたマスターキーワード情報を参照する。
【０１８６】
さらに、ステップＳ３３において、センタキーワード認識手段７６は、マスターキーワード情報に基づいて広告利用者の音声情報をキーワードテキスト情報に変換することができるか否かを判断する。
【０１８７】
ここで、ステップＳ３４において、センタキーワード認識手段７６が、広告利用者の音声情報をキーワードテキスト情報に変換することができない場合には、音声認識不能情報を作成するとともに各無線器２８、２８を介して車載端末４０の再音声入力要求手段５６に送信する。
【０１８８】
そして、ステップＳ３５において、再音声入力要求手段５６は、センタサーバ２６のセンタキーワード認識手段７６から音声認識不能情報を受けた場合には、再度音声入力装置４１に音声入力すべき旨を広告利用者に知らせるための再音声入力要求情報をモニタ３９あるいは音声出力装置４２に画像情報あるいは音声情報として与える。
【０１８９】
一方、ステップＳ３６において、センタキーワード認識手段７６が、広告利用者の音声情報をキーワードテキスト情報に変換することができる場合には、広告利用者の音声情報に含まれるキーワードをキーワードテキスト情報に変換する。
【０１９０】
さらに、ステップＳ３７において、センタキーワード認識手段７６は、変換して得られたキーワードテキスト情報を各無線器２８、２８を介して送信することにより車載端末４０のエリア確定手段５５に与える。
【０１９１】
この結果、ステップＳ３８において、エリア確定手段５５は、車載キーワード認識手段５４あるいはセンタキーワード認識手段７６から広告利用者の音声情報を変換することにより得られたキーワードテキスト情報を受け、キーワードテキスト情報に応じた広告内容情報が広告利用者に提供される。
【０１９２】
図９は図７および図８において広告利用者の音声入力により作成されたキーワードテキスト情報に基づいて広告インデックス情報を抽出するとともに広告スポンサ２１の位置がモニタ３９に表示されるまでの流れの一例を示すフローチャートである。
【０１９３】
図９のステップＳ３９において、広告利用者により「ラーメン」と音声入力されたため、ラーメンというキーワードテキスト情報がエリア確定手段５５に入力される。
【０１９４】
さらに、ステップＳ４０において、エリア確定手段５５は、車載端末４０の車載キーワード認識手段５４あるいはセンタサーバ２６のセンタキーワード認識手段７６からキーワードテキスト情報を受けると、広告内容情報を提供する範囲を決定するために、ＧＰＳ受信器３６から現在の車両２３の位置情報を入力して、入力した車両２３の位置情報に基づいて所定の範囲をエリア確定情報として確定する。
【０１９５】
例えば、エリア確定手段５５は、インデックス送信手段７５により設定された広告インデックス情報の抽出対象エリアのうち、現在の車両２３の位置から車両２３のルートの進行方向に沿って一定地点までの範囲をエリア確定情報として確定する。
【０１９６】
エリア確定手段５５により範囲を確定する方法は任意であり例えば、現在の車両２３の位置から車両２３のルートの進行方向に沿って４ｋｍまでの範囲に、現在の車両２３の位置を中心とする半径１ｋｍの円内の範囲並びに現在の車両２３の位置から車両２３のルートの進行方向に沿って４ｋｍ先の地点を中心とする半径１ｋｍの円内の範囲が加えられてエリア確定情報が確定される。
【０１９７】
エリア確定手段５５により確定されるエリア確定情報の確定方法は任意であるが、車両２３の移動方向後方よりも移動方向前方をより広く設定することにより、より適切にエリア確定情報を確定することができる。
【０１９８】
エリア確定手段５５により確定されたエリア確定情報は、キーワードテキスト情報とともにインデックス抽出手段５７に与える。
【０１９９】
一方、車両ルート設定手段５１により車両２３のルートが設定されていない場合であっても、エリア確定手段５５によりエリア確定情報を確定することができる。
【０２００】
図１０は、図１に示す広告システム２０の車両ルート設定手段５１により車両２３のルートが設定されていない場合において、エリア確定手段５５によるエリア確定情報を確定する方法の一例を説明する図である。
【０２０１】
車両ルート設定手段５１により車両２３のルートが設定されていない場合には、エリア確定手段５５が、車両２３の進行方向にある一定の幅、例えば６ｍ以上の幅を有する道路を抽出し、さらに抽出した道路の一定の範囲内、例えば４ｋｍ先までの範囲内において検索する。
【０２０２】
この結果、エリア確定手段５５により例えば図１０に示すように車両２３の現在の位置周辺の各道路のうち、車両２３の進行方向の道路上の交差点により分岐した幅６ｍ以上の３本の道路が現在の車両２３の位置から４ｋｍ先の地点まで抽出される。
【０２０３】
そしてエリア確定手段５５により抽出された各道路に沿う一定の幅、例えば２ｋｍの幅の領域とともに３本の各道路の４ｋｍ先の地点Ａ，Ｂ、Ｃおよび現在の車両２３の位置を中心とする半径１ｋｍの円内の領域がエリア確定情報として確定される。
【０２０４】
尚、エリア確定手段５５により抽出される道路の幅および範囲は広告利用者により任意に設定することが可能であるが、車両２３の走行状態や車両２３の位置に応じて自動的に範囲の設定値を変更させるように構成することもできる。
【０２０５】
例えば、道路抽出条件の基準となる道路の幅を現在車両２３が走行している道路の幅に自動的に設定するように構成してもよい。
【０２０６】
また、別の例として、現在の車両２３近傍に所定幅の道路が存在しない場合には、道路抽出条件の基準となる道路の幅を更に小さく設定し、条件を満足する道路が抽出されるまで、基準となる道路の幅を小さく設定するように構成してもよい。
【０２０７】
さらに、別の例として高速道路上を車両２３が走行する場合のように比較的高速走行である場合には、検索する領域を拡張する方法等、車両２３の速度に応じて検索する領域を自動的に設定するように構成してもよい。
【０２０８】
あるいは、エリア確定手段５５の道路抽出条件を国道や県道等の特定の道路に設定してもよい。
【０２０９】
一方、図９のステップＳ４１において、インデックス抽出手段５７は、エリア確定手段５５からキーワードテキスト情報とともにエリア確定情報を受けると、車載インデックスデータベース４３に保存された広告インデックス情報を参照し、広告インデックス情報に含まれる広告内容テキスト情報の一部とキーワードテキスト情報とが一致し、かつ広告インデックス情報に含まれる広告スポンサ２１の位置情報がエリア確定情報の範囲内にあり条件を満たす場合には、広告インデックス情報を抽出する。
【０２１０】
インデックス抽出手段５７がエリア確定手段５５から受けたキーワードテキスト情報は「ラーメン」であるため、エリア確定情報で設定された範囲内で「ラーメン」という単語が含まれている広告インデックス情報が抽出される。インデックス抽出手段５７は抽出した広告インデックス情報を広告スポンサ位置表示手段５８に与える。
【０２１１】
次に、ステップＳ４２において、広告スポンサ位置表示手段５８はインデックス抽出手段５７から各広告インデックス情報を受けると、広告スポンサ２１の位置をモニタ３９に表示する際、広告利用者に各広告スポンサ２１の識別を可能とするための番号情報を各広告インデックス情報にそれぞれ追加する。
【０２１２】
そして、ステップＳ４３において、広告スポンサ位置表示手段５８は、各広告インデックス情報に基づいて各広告スポンサ２１の位置を、番号を付した記号によりそれぞれモニタ３９に表示するとともに各広告インデックス情報を広告スポンサ選択要求手段５９に与える。
【０２１３】
さらに、ステップＳ４４において、広告スポンサ選択要求手段５９は、広告スポンサ位置表示手段５８から受けた広告インデックス情報の数を音声出力装置４２を介して音声により広告利用者に対して案内する。
【０２１４】
この結果、広告利用者は、における音声入力した「らーめん」という単語に関連し、かつ現在の車両２３の位置から一定の範囲内の広告インデックス情報の件数を知ることができる。
【０２１５】
次に、図７のステップＳ４５において、広告スポンサ選択要求手段５９は、例えば「ラーメンですね。３軒あります。どれを案内しますか？番号でお答え下さい。」と音声により広告インデックス情報の件数を案内するとともに、広告利用者が提供を希望する広告インデックス情報の選択を要求する。
【０２１６】
このため、ステップＳ４６において、広告利用者は「全部」と音声入力装置４１を介して音声入力する。
【０２１７】
そして、ステップＳ４７において、広告スポンサ選択要求手段５９は、広告利用者により入力された音声を図８のフローチャートに示す方法と同様な方法で認識し、「全部ですね。近い順番からご案内します。」と音声により案内するとともに、広告スポンサ位置表示手段５８から受けた全ての広告インデックス情報を距離計算手段６１に与える。
【０２１８】
さらに、距離計算手段６１が広告スポンサ選択要求手段５９から受けた各広告インデックス情報に基づいて広告内容情報が広告利用者に提供される。
【０２１９】
図１１は、図７および図８において広告スポンサ選択要求手段５９を介した広告利用者の音声入力により選択された広告インデックス情報に基づいて、広告内容情報を提供する際の流れの一例を示すフローチャートである。
【０２２０】
図１１のステップＳ４８において、広告スポンサ選択要求手段５９が広告利用者により入力された音声情報のキーワードテキスト情報を受けると、キーワードテキスト情報に基づいて広告インデックス情報を距離計算手段６１に与える。
【０２２１】
次に、ステップＳ４９において、距離計算手段６１は、広告スポンサ選択要求手段５９から広告インデックス情報を受けると、ＧＰＳ受信器３６から現在の車両２３の位置情報を入力することにより、現在の車両２３の位置から各広告インデックス情報に含まれる広告スポンサ２１の位置までの距離を計算する。距離計算手段６１は、計算して得られた距離を距離情報として各広告インデックス情報とともに画像コンテンツ要求手段６３に与える。
【０２２２】
一方、ステップＳ５０において、広告パターン選定手段６２は、予め車載端末４０から入力された広告パターン選定指令情報あるいは車両２３の走行状態に応じて広告パターンデータベース４５に保存された各広告パターンから適切な広告パターンを選定する。
【０２２３】
広告パターンデータベース４５には、例えば６種類の広告パターンが予め保存され、各広告パターンは更に、複数の提供パターンの組合せにより定義される。
【０２２４】
広告パターン選定指令情報の条件の例としては、例えば、広告インデックス情報の数に応じて広告パターンを選定する方法が挙げられる。
【０２２５】
例えば、提供パターン１は、広告利用者に対して広告内容情報を音声、動画、５種類の静止画により提供するパターンとして定義され、提供パターン２は広告内容情報を音声、動画、２種類の静止画により提供するパターンとして定義される。同様に、提供パターン３は、音声と３種類の静止画により、提供パターン４は、音声と２種類の静止画により、提供パターン５は音声と１種類の静止画により、提供パターン５は音声のみにより、広告内容情報を提供するパターンとして定義される。
【０２２６】
そして、各広告パターンには、現在の車両２３の位置から広告スポンサ２１までの距離に応じて適用する提供パターン１、２、３、４、５、６が割り当てられる。
【０２２７】
例えば広告パターン１では、現在の車両２３の位置から広告スポンサ２１までの距離によらず提供パターン１が適用されるように割り当てられる。広告パターン２では、車両２３の位置から広告スポンサ２１までの距離が５００ｍから２０００ｍである場合には、提供パターン１が適用されるように割り当てられる一方、車両２３の位置から広告スポンサ２１までの距離が０ｍ〜５００ｍである場合には、提供パターン２が適用されるように割り当てられる。同様に広告パターン３、４、５、６についても現在の車両２３の位置から広告スポンサ２１までの距離に応じて提供パターン１、２、３、４、５、６が割り当てられる。
【０２２８】
広告パターン選定手段６２は、例えば広告パターン３を選定するとともに、選定した広告パターン３を広告パターン情報として画像コンテンツ要求手段６３に与える。
【０２２９】
このため、ステップＳ５１において、画像コンテンツ要求手段６３は、広告パターン選定手段６２から受けた広告パターン情報、距離計算手段６１から受けた各広告インデックス情報、並びに車両２３から各広告スポンサ２１までのそれぞれの距離情報に基づいて、広告利用者に提供すべき広告内容を判断する。
【０２３０】
例えば、広告パターン３は、車両２３の位置から広告スポンサ２１までの距離が０ｍ〜５００ｍである場合には提供パターン３が、車両２３の位置から広告スポンサ２１までの距離が５００ｍ〜１０００ｍである場合には提供パターン３が、車両２３の位置から広告スポンサ２１までの距離が１０００ｍ以上である場合には、提供パターン１が適用されるように設定される。
【０２３１】
このとき、車両２３から１つの広告スポンサ２１までの距離が５００ｍ以内であり、他の広告スポンサ２１までの距離が１０００ｍ以上である場合、必要な画像コンテンツ情報は、広告パターン３によれば車両２３からの距離が５００ｍ以内である広告スポンサ２１の３種類の静止画となる。
【０２３２】
そこで、画像コンテンツ要求手段６３は、広告スポンサ２１の３種類の静止画が必要な場合には、３種類の静止画コンテンツが必要である旨の画像コンテンツ要求情報を、各無線器２８、２８を介してセンタサーバ２６の画像コンテンツ送信手段７７に与える一方、各広告インデックス情報を音声コンテンツ出力手段６０に与える。
【０２３３】
一方、ステップＳ５２において、センタサーバ２６の画像コンテンツ送信手段７７が画像コンテンツ要求手段６３から画像コンテンツ要求情報を受けると、画像コンテンツデータベース３３から画像コンテンツ要求情報に応じた広告スポンサ２１の画像コンテンツ情報を入力するとともに無線器２８、２８を介して車載端末４０の画像コンテンツ表示手段６５に送信する。
【０２３４】
例えば、画像コンテンツ要求情報が３種類の静止画コンテンツである場合には、画像コンテンツ送信手段７７は、対応する３種類の静止画コンテンツを画像コンテンツデータベース３３から抽出して画像コンテンツ表示手段６５に送信する。
【０２３５】
さらに、ステップＳ５３において、走行状態判定手段６４が、広告利用者の車両２３の走行状態を判定する。走行状態判定手段６４は、車両２３の走行状態が停止状態であると判定した場合には、画像コンテンツ表示手段６５に画像コンテンツ表示指令情報を与える一方、車両２３の走行状態が走行中である場合には画像コンテンツ表示中断指令情報を与える。
【０２３６】
このため、車両２３の走行状態が走行中である場合には画像コンテンツ表示手段６５が走行状態判定手段６４から画像コンテンツ表示中断指令情報を受けるため、画像コンテンツ送信手段７７から受けた画像コンテンツ情報をモニタ３９に表示させない。
【０２３７】
この結果、ステップＳ５４において、車両２３の走行状態が走行中である場合には音声コンテンツ出力手段６０は、画像コンテンツ要求手段６３から受けた広告インデックス情報に含まれる音声コンテンツ情報をそれぞれ音声出力装置４２に与えることにより、音声のみにより広告内容を広告利用者に知らせる。
【０２３８】
このため、図７に示すステップＳ５５において、音声コンテンツ情報が音声出力装置４２から例えば「１番、××ラーメン。こってりとした醤油味、スープと大きな焼豚が３枚入って６００円から」と音声により出力される。
【０２３９】
さらに、音声コンテンツ出力手段６０は、広告インデックス情報を目的地設定手段６６に与える一方、音声コンテンツ情報を音声出力装置４２から出力させた旨の情報、その時の日時や時刻、車両２３の位置等の広告利用状況情報を広告利用履歴記録手段６７に与える。
【０２４０】
一方、図１１のステップＳ５６において、車両２３の走行状態が停止状態である場合には、画像コンテンツ表示手段６５が走行状態判定手段６４から画像コンテンツ表示指令情報を受けて、画像コンテンツ送信手段７７から受けた画像コンテンツ情報をモニタ３９に与えることにより表示させる。このとき、音声コンテンツ出力手段６０からは、音声コンテンツ情報が音声により音声出力装置４２を介して出力される。
【０２４１】
例えば、画像コンテンツ情報が３種類の静止画コンテンツである場合には、モニタ３９に地図情報、車両２３の位置情報、広告スポンサ２１の位置情報に加えて３種類の静止画が例えば２秒づつ表示される一方、音声出力装置４２からは音声により「本場九州のラーメン、こってりしたとんこつスープで大評判」と出力される。
【０２４２】
さらに、画像コンテンツ表示手段６５は、画像コンテンツ情報をモニタ３９に表示させた旨の情報、その時の日時や時刻、車両２３の位置等の広告利用状況情報を広告利用履歴記録手段６７に与える。
【０２４３】
一方、図７のステップＳ５７において、目的地設定手段６６が、音声コンテンツ出力手段６０から各広告インデックス情報を受けて各広告スポンサ２１の広告内容情報の広告利用者への提供が完了すると、例えば「ご案内は以上です。いずれかを目的地に設定しますか？番号でお答え下さい。」と音声出力装置４２を介して音声により車両２３の目的地を設定すべきか否かを広告利用者に対して確認する。
【０２４４】
そして、ステップＳ５８において、広告利用者は、音声により「３番」と音声出力装置４２を介して目的地設定手段６６に入力する。
【０２４５】
このため、ステップＳ５６において、目的地設定手段６６は、車両２３の目的地を指定された広告スポンサ２１の位置に設定するとともに「３番の九州ラーメンですね。目的地に設定します。」と音声出力装置４２を介して音声により広告利用者に対して案内する。
【０２４６】
また、目的地設定手段６６は、広告スポンサ２１の位置を車両２３の目的地に設定した旨の広告利用状況情報を広告利用履歴記録手段６７に与える。
【０２４７】
さらに、図８のステップＳ５９において、広告利用履歴記録手段６７が、広告利用者に対して音声入力すべき内容が残っているか否かを例えば音声により確認する。すなわち、広告利用者から次対話の入力の有無を判断する。
【０２４８】
そして、ステップＳ６０において、広告利用者が音声入力すべき内容がない場合には、広告利用履歴記録手段６７は、音声コンテンツ出力手段６０、画像コンテンツ表示手段６５および目的地設定手段６６から受けた広告利用状況情報を編集して広告利用履歴情報を作成する。広告利用履歴記録手段６７は、広告利用履歴情報を広告利用履歴データベース４７に入力する。
【０２４９】
この結果、広告利用者に検索された広告スポンサ２１の広告利用状況情報が一覧となって広告利用履歴情報が保存される。広告利用履歴情報は例えば、表形式であり、広告内容情報を提供した検索日、時間、広告利用者が音声入力したキーワード、広告利用者が選択した広告インデックスの広告ＩＤ、提供した広告内容情報の広告パターン、目的地に設定されたか否か等の項目が設けられる。
【０２５０】
例えば、３月１２日の１１：３３に「らーめん」というキーワードテキスト情報に基づいて広告ＩＤが「Ａ０００１」「Ａ００３５」「Ａ１００２」である３つの広告インデックス情報が抽出されて各広告インデックス情報に対応する音声コンテンツ情報が提供されたことが分かる。また、このうち、広告ＩＤが「Ａ１００２」に対応する広告インデックス情報の場合には、対応する広告スポンサの音声コンテンツ情報および動画による画像コンテンツ情報が提供され、さらに目的地に設定されたことが分かる。
【０２５１】
このため、広告利用履歴情報により広告利用者により利用された広告内容情報の履歴を確認することができる。
【０２５２】
一方、広告利用者により広告情報の提供が要求されない場合においても、エージェント手段６８により広告内容情報が広告利用者に提供される。
【０２５３】
図１２は、図２に示す広告システム２０のエージェント手段６８により広告内容情報が広告利用者に提供されるまでの流れの一例を示すフローチャートである。
【０２５４】
まず、図１２のステップＳ６１において、エージェント手段６８がエージェント条件データベース４６からエージェント条件情報を入力し、例えば、広告利用履歴情報のキーワードテキスト情報と時間情報が条件として設定される。
【０２５５】
次に、ステップＳ６２において、例えばＧＰＳ受信器３６や別途設けられた時計から現在の時間情報がエージェント手段６８に入力される。
【０２５６】
そして、ステップＳ６３において、エージェント手段６８は、広告利用履歴データベース４７を参照して、過去の同じ時間において広告利用者により入力されて変換されたキーワードテキスト情報が存在するか否かを判定する。
【０２５７】
さらに、ステップＳ６４において、検索の結果、該当するキーワードテキスト情報が存在する場合には、キーワードテキスト情報を抽出してインデックス抽出手段５７に与える。
【０２５８】
このため、ステップＳ６５において、図９に示すステップＳ３９〜Ｓ４１の場合と同様の流れでエリア確定手段５５から受けたエリア確定情報の範囲内においてインデックス抽出手段５７により広告インデックス情報が車載インデックスデータベース４３から抽出される。インデックス抽出手段５７により抽出された各広告インデックス情報は、広告スポンサ位置表示手段５８を経由して広告スポンサ選択要求手段５９に与えられる。
【０２５９】
さらに、ステップＳ６６において、広告スポンサ選択要求手段５９は、「ピンポーン。この近辺に５軒のラーメン屋があります。ご案内しますか？」と音声出力装置４２を介して音声により抽出された広告インデックス情報の数を案内する。
【０２６０】
このため、ステップＳ６７において、広告利用者は適宜応答し、音声入力する。
【０２６１】
そして、ステップＳ６８において図１１に示す流れと同様の流れにより、広告利用者から要求された所要の広告内容情報が提供される。
【０２６２】
また、ステップＳ６９において図８に示すステップＳ５８と同様に広告利用履歴記録手段６７は、広告利用者に対して次対話があるか否か、すなわち音声入力すべき内容が残っているか否かを判定する。
【０２６３】
そして、ステップＳ７０において、広告利用履歴記録手段６７により、広告利用者から入力される内容が存在しないと判定された場合には、音声コンテンツ出力手段６０、画像コンテンツ表示手段６５および目的地設定手段６６から受けた広告利用状況情報を編集して広告利用履歴情報を作成する。
【０２６４】
一方、ステップＳ６３において、エージェント手段６８による検索の結果、該当するキーワードテキスト情報が存在しない場合には、その旨およびその時の時刻、位置等の広告利用状況情報が広告利用履歴記録手段６７に与えられ、広告利用履歴情報が作成される。
【０２６５】
広告利用履歴記録手段６７は、作成した広告利用履歴情報を広告利用履歴データベース４７に入力する。
【０２６６】
エージェント手段６８による広告利用状況情報に基づく広告利用履歴情報は、例えば表形式とされ、エージェント手段６８により提供された広告ＩＤ、提供された広告内容情報が音声コンテンツ情報のみであるか画像コンテンツ情報を含むものであるか、広告スポンサが目的地に設定されたか否かが日時ごとに表示される。
【０２６７】
例えば、３月２０日の１１：２８に広告ＩＤ「Ａ０００１」の広告インデックスが自動的に抽出されたが、広告利用者により画像コンテンツ情報の提供要求がなかったため、音声コンテンツ情報であり、目的地には設定されなかったことが分かる。同様に、３月２０日の１１：２９には広告ＩＤ「Ａ０１２５」の広告インデックスが自動的に抽出され、広告利用者に画像コンテンツ情報である２種類の静止画コンテンツが提供された後、広告スポンサが目的地に設定されたことが分かる。
【０２６８】
次に、エージェント手段６８のエージェント条件が別の条件に設定された場合において広告内容情報が広告利用者に提供されるまでの流れの一例について説明する。
【０２６９】
図１３は、図２に示す広告システム２０のエージェント手段６８により広告内容情報が広告利用者に提供されるまでの流れの別の一例を示すフローチャートである。
【０２７０】
まず、ステップＳ７１において、広告利用者の音声入力あるいはスイッチ等の入力手段によりエージェント条件情報がエージェント条件データベース４６から入力され、例えば、広告利用者の嗜好ジャンルが条件として設定される。
【０２７１】
このため、ステップＳ７２において、エージェント手段６８は広告利用者属性データベース４８から広告利用者の属性情報の１つである嗜好ジャンルを入力して、キーワードテキスト情報に設定してエリア確定手段５５に与える。
【０２７２】
このため、ステップＳ７３において、エリア確定手段５５は、ＧＰＳ受信器３６から現在の車両２３の位置情報を受信する。
【０２７３】
そして、ステップＳ７４において、エリア確定手段５５は、エリア確定情報を作成し、嗜好ジャンルのキーワードテキスト情報とともにインデックス抽出手段５７に与える。
【０２７４】
さらに、ステップＳ７５において、インデックス抽出手段５７により、エリア確定情報の範囲内において嗜好ジャンルのキーワードテキスト情報を含む広告インデックス情報が車載インデックスデータベース４３から抽出される。インデックス抽出手段５７により抽出された各広告インデックス情報は、広告スポンサ位置表示手段５８に与えられる。
【０２７５】
このため、ステップＳ７６において、広告スポンサ位置表示手段５８がインデックス抽出手段５７から受けた各広告インデックス情報に識別のための番号を設定する。
【０２７６】
そして、ステップＳ７７において、広告スポンサ位置表示手段５８は各広告インデックス情報に含まれる広告スポンサ２１の位置をモニタ３９に番号並びに店名とともに表示する。広告スポンサ位置表示手段５８は各広告インデックス情報を広告スポンサ選択要求手段５９に与える。
【０２７７】
このため、ステップＳ７８において、広告スポンサ選択要求手段５９は、広告スポンサ２１の選択を要求する。
【０２７８】
そして、ステップＳ７９において、図１１に示す流れと同様な流れで、広告利用者に提供すべき広告内容情報を設定し、例えば音声コンテンツ情報のみが出力内容として設定される。このため「本場九州のラーメン、こってりとしたとんこつスープで大評判。大通り沿いの九州らーめんです。」と音声により音声コンテンツ情報が出力される。
【０２７９】
ここで、ステップＳ８０において、エージェント手段６８はＧＰＳ受信器３６から得られる位置情報や時間情報あるいは車両２３の走行メータから得られる車両２３の移動距離情報に基づいて、車両２３の移動距離を計算する。
【０２８０】
さらに、ステップＳ８１において、エージェント手段６８は車両２３が一定の距離を移動してエリア確定手段５５により設定されたエリア確定情報の範囲を逸脱したか否かを判定する。そして、エージェント手段６８は車両２３が一定の距離を移動してエリア確定手段５５により設定されたエリア確定情報の範囲を逸脱したと判定した場合には、再び嗜好ジャンルをキーワードテキスト情報としてエリア確定手段５５に与える。このため、車両２３がエリア確定情報の範囲を逸脱したと場合には、再度エリア確定手段５５により新たなエリア確定情報が設定されて、広告インデックス情報の抽出並びに広告内容情報の提供が実施される。
【０２８１】
一方、車両２３がエリア確定情報の範囲を逸脱してないと判定した場合には、エージェント手段６８により再び車両２３の移動距離が計算される。
【０２８２】
このようにして、広告利用者に広告内容情報が提供される都度、広告利用履歴記録手段６７により広告利用履歴情報として広告利用履歴データベース４７に保存される。
【０２８３】
図１４は、図２に示す広告システム２０の広告利用履歴データベース４７に保存された広告利用履歴情報に基づいて作成された広告利用履歴集計情報が広告利用履歴集計データベース３４に入力される際の流れの一例を説明するフローチャートである。
【０２８４】
図１４のステップＳ８２において、広告利用履歴情報送信手段６９は、広告利用履歴データベース４７に保存された過去の広告利用履歴情報の一部あるいは全部を定期的に各無線器２８、２８を介してセンタサーバ２６の広告利用履歴情報受信手段７８に送信する。
【０２８５】
ただし、別途入力された送信指令情報に基づいて広告利用履歴情報送信手段６９が広告利用履歴情報を広告利用履歴情報受信手段７８に送信するように構成してもよい。
【０２８６】
この際、広告利用履歴情報送信手段６９は、車両通過履歴記録手段７０により予め入力されて車両通過履歴データベース４９に保存された車両２３の通過履歴情報あるいは広告利用者属性データベース４８に保存された広告利用者の属性情報を必要に応じて広告利用履歴情報に関連付けて広告利用履歴情報受信手段７８に与えることができる。
【０２８７】
このため、ステップＳ８３において、広告利用履歴情報受信手段７８は、広告利用履歴情報送信手段６９から広告利用履歴情報を受けて、必要に応じて一定の条件に従って編集あるいは集計することにより広告利用履歴集計情報を作成するとともに広告利用履歴集計データベース３４に入力する。
【０２８８】
例えば、予め広告利用者に対し、広告利用者の属性情報の利用並びに広告スポンサ２１への提供についての承諾を得ることにより、広告利用履歴情報受信手段７８は、広告スポンサ２１により広告展開効果を適切に把握することができる広告利用履歴集計情報を作成することができる。
【０２８９】
図１５は、図２に示す広告システム２０の広告利用履歴集計データベース３４に入力された広告利用履歴集計情報の一例を示す図である。
【０２９０】
図１５に示すように例えば、着目する広告スポンサ２１の近傍を通過した各時間帯における広告利用者の数が広告システム２０を利用する広告利用者の年齢層と性別ごとに集計され表形式の広告利用履歴情報が作成される。
【０２９１】
図１５に示すように、各年齢層および性別により行が区分される一方、広告スポンサ２１の近傍を通過した時間帯により列が区分される。例えば、７：００から７：５９の間に広告スポンサ２１の近傍を通過した２０代の男性の数は５０人、女性の数は２２人である一方、同じ時間帯に広告スポンサ２１の近傍を通過した５０代の男性の数は１５人、女性の数は２人であることが分かる。
【０２９２】
このため、広告スポンサ２１において、７：００から７：５９の間には、５０代の広告利用者よりも２０代の広告利用者をターゲットとするほうが好ましいことが推測される。
【０２９３】
同様に、７：００から７：５９の間に広告スポンサ２１の近傍を通過した２０代の男性の数は５０人である一方、８：００から８：５９の間に広告スポンサ２１の近傍を通過した２０代の男性の数は２１５人であることが分かる。
【０２９４】
このため、広告スポンサ２１において、７：００から７：５９の間よりも８：００から８：５９の間のほうが、より多くの広告利用者の来店が期待できることが推測される。
【０２９５】
このように広告スポンサ２１は、ターゲットとすべき広告利用者である顧客の年齢層や性別を知ることで、広告スポンサ２１の可能性を把握することができる。
【０２９６】
図１６は、図２に示す広告システム２０の広告利用履歴集計データベース３４に入力された広告利用履歴集計情報の別の一例を示す図である。
【０２９７】
また、図１６に示すように例えば、着目する広告スポンサ２１の近傍を通過した広告利用者の総数と広告情報を提供した広告利用者の総数が広告システム２０を利用する広告利用者の年齢層と性別ごとに集計され、表形式の広告利用履歴情報が作成される。
【０２９８】
図１６に示すように、各年齢層および性別により行が区分される一方、列方向には広告スポンサ２１の近傍を通過した広告利用者の総数、広告内容情報を提供した広告利用者の総数並びに広告内容情報のリーチ度すなわち広告利用者への到達度の評価についての項目が設けられる。
【０２９９】
例えば、広告スポンサ２１の近傍を通過した２０代の女性の総数は２５５人である一方、広告スポンサ２１の近傍を通過した４０代の男性の総数は１０５人であるため、４０代の男性よりも２０代の女性のほうが多く広告スポンサ２１の近傍を通過したことが分かる。
【０３００】
しかし、広告スポンサ２１の広告内容情報を選択して利用した人数は、２０代の女性の場合には１８人である一方、４０代の男性の場合には２１人である。従って、広告内容情報の利用率は４０代の男性のほうが大きいことが分かる。さらに、広告内容情報の利用率である広告内容情報のリーチ度が★記号とその数により表示される。この結果、広告スポンサ２１は、各年齢層あるいは性別ごとの広告内容情報のリーチ度を容易に把握するとともに、目的地の候補とされた広告利用者の人数を知ることができる。さらに、これらの情報を介して広告スポンサ２１は、自店の店名認識率や立地状況、他店との競合状況を把握することができる。
【０３０１】
図１７は、図２に示す広告システム２０の広告利用履歴集計データベース３４に入力された広告利用履歴集計情報の更に別の一例を示す図である。
【０３０２】
さらに、図１７に示すように例えば、着目する広告スポンサ２１の広告内容情報を提供した広告利用者の総数と広告スポンサ２１を目的地に設定した広告利用者の総数が、広告システム２０を利用する広告利用者の年齢層と性別ごとに集計され、表形式の広告利用履歴情報が作成される。
【０３０３】
図１７に示すように、各年齢層および性別により行が区分される一方、列方向には広告内容情報を提供した広告利用者の総数、広告スポンサ２１を目的地に設定した広告利用者の総数並びに広告スポンサ２１の目的地設定率についての項目が設けられる。
【０３０４】
例えば、広告内容情報を提供した２０代の男性の広告利用者の総数は７５人である一方、広告内容情報を提供した３０代の男性の広告利用者の総数は１３５人であるため、２０代の男性よりも３０代の男性に対して、より多く広告内容情報を提供したことが分かる。
【０３０５】
しかし、広告スポンサ２１を目的地に設定した人数は、２０代の男性の場合には２４人である一方、３０代の男性の場合には２５人である。このため、広告スポンサ２１の目的地設定率は、２０代の男性の場合には３２．０％である一方、３０代の男性の場合には１８．５％となり、広告スポンサ２１の目的地設定率は、２０代の男性の場合のほうが大きいことが分かる。
【０３０６】
このため、広告内容情報が３０代よりも２０代に対して好評であったことが推測され、広告スポンサ２１の目的地設定率を、各年齢層をターゲットとした広告内容情報の作成の際の参考情報とすることができる。さらに、広告スポンサ２１を目的地に設定した人数から間接的に広告スポンサ２１への来客数を推定することができる。
【０３０７】
すなわち、広告システム２０は、車両２３に乗車した広告利用者により設定された車両ルートあるいは現在の車両２３の位置情報に基づいて自動的にセンタサーバ２６から送信された音声コンテンツ情報を含む広告インデックス情報を車載端末４０に保存するとともに、広告利用者の音声によるキーワードを認識して適切な音声コンテンツ情報を選択して出力させる構成である。
【０３０８】
さらに、広告システム２０は、広告利用者が比較的データサイズが大きい画像コンテンツ情報の提供を希望する場合には、音声による対話形式により別途センタサーバ２６から送信された画像コンテンツ情報を車両２３の走行状態に応じて適切に車載端末４０に出力させるものである。
【０３０９】
また、広告利用者が広告内容情報を要求しない場合であっても、一定の条件に従って、広告内容情報を自動的に広告利用者に提供するのみならず、広告利用者に提供された広告内容情報やその時の車両２３の位置や時間等の広告利用状況情報を記録して広告利用履歴情報を作成し管理することにより広告スポンサ２１が広告展開効果を把握することができるようにしたものである。
【０３１０】
広告システム２０では、音声による対話形式で情報を入出力でき、かつ音声による音声コンテンツ情報の提供が可能であるため、車両２３により移動する広告利用者が、車両２３を停車せずに車載端末４０を操作することなく広告スポンサ２１の広告内容情報を得ることができる。さらに、広告システム２０では、車両２３の走行状態や広告スポンサ２１までの距離に応じて提供する音声コンテンツ情報と画像コンテンツ情報の組合せを選択し、かつ変更できるため、より快適かつ安全に広告利用者は車両２３を運転することができる。
【０３１１】
また、広告システム２０では、車両２３に乗車した広告利用者により設定された車両ルートあるいは現在の車両２３の位置情報に基づいて自動的にセンタサーバ２６から音声コンテンツ情報を含む広告インデックス情報を受信するため、広告利用者が予め広告内容情報を車載端末４０に検索し保存する必要性を回避させるこができるのみならず、潜在的な広告利用者に対しても適切な広告内容情報を漏らすことなく提供することができる。
【０３１２】
さらに、キーワードによる音声認識により広告利用者の要望に応じた広告内容情報のみが抽出されるため、不要な広告内容情報の提供を回避させて、より適切で小さい情報量の広告内容情報のみを効率的に広告利用者に提供することができる。
【０３１３】
また、広告システム２０では、小売業、商店、サービス業等の比較的小規模の広告スポンサ２１であってもより容易かつ安価に広告利用者に対して広告内容情報を提供することができる。
【０３１４】
さらに、広告システム２０では、広告利用者の車両２３の位置や車両ルート上に限定して抽出された音声コンテンツ情報を車載端末４０に予め保存する一方、比較的データサイズが大きい画像コンテンツ情報については、車載端末４０に保存せずにセンタサーバ２６から送信して提供する構成であるため、車載端末４０に保存すべきデータサイズを低減させるとともにサイズが小さい音声コンテンツ情報をより迅速に提供することができる。
【０３１５】
また、広告システム２０では、広告利用者が広告内容情報を要求しない場合であっても、一定の条件に従って、広告内容情報が広告利用者に提供されるため、広告展開効果を向上させることができるとともに、広告利用者に提供された広告内容情報やその時の車両２３の位置や時間等の広告利用状況情報を記録して広告利用履歴情報を作成し管理することにより、広告展開効果を把握することができる。このため、広告スポンサ２１は、広告内容情報の提供に対する的確に費用対効果を把握することができる。
【０３１６】
尚、広告システム２０において、各機能の一部を削除してもよく、情報処理の順序を変更してもよい。
【０３１７】
また、車両２３の位置情報は、車両２３の緯度および経度とすることができるが、高度を含めても良い。
【０３１８】
また、車載端末４０の諸機能の一部、音声出力装置４２、音声入力装置４１は、カーナビゲーションシステム３５の一部の構成要素を兼ねてもよい。
【０３１９】
また、広告システム２０から広告音声により出力する情報を画像やランプの点灯ないし点滅等の他の出力手段により出力してもよい。同様に広告システム２０に音声により入力する情報を、スイッチやボタン等の他の入力手段により入力してもよい。
【０３２０】
また広告スポンサ２１は、実際にセンタサーバ２６に直接広告内容情報を提供せずに、他の業者や部門を経由して間接的に提供してもよい。
【０３２１】
また、エージェント手段６８は、車載インデックスデータベース４３に保存された広告インデックス情報を車両側において出力させるのみならず、エージェント手段６８により設定されたエージェント条件をセンタサーバ２６のインデックス送信手段７５に送信し、センタサーバ２６の広告インデックスデータベース３１からエージェント条件に基づいて車両２３側に送信された広告インデックス情報を、車両側において出力させるように構成してもよい。
【０３２２】
また、広告利用者は車両の運転者に限らず、同乗者であってもよく、さらに車両は自動車に限らず、二輪車、鉄道、船舶、航空機等の移動可能なものであってもよい。
【０３２３】
【発明の効果】
本発明に係る広告方法とその方法に使用する広告システムにおいては、車両により移動する広告利用者が、車両を停車せずにかつ車載端末を操作することなく広告スポンサの広告情報を得ることができる。
【図面の簡単な説明】
【図１】本発明に係る広告システムの実施の形態を示す構成図。
【図２】図１に示す広告システムの機能ブロック図。
【図３】図１に示す広告システムにおいて広告利用者の個人情報、広告スポンサ情報、広告インデックス情報および画像コンテンツ情報を作成して保存するまでの流れの一例を示すフローチャート。
【図４】図１に示す広告システムにおいて車両の目的地を設定することにより、広告スポンサの広告インデックス情報を受信して音声テキスト変換情報を作成する方法の一例を示すフローチャート。
【図５】図４においてセンタサーバのインデックス送信手段７５により広告インデックスデータベース３１から広告スポンサの広告インデックス情報を抽出する詳細方法の一例を示すフローチャート。
【図６】図４おいて車載端末の車載キーワード情報作成手段５３により音声テキスト変換情報を作成する詳細方法の一例を示すフローチャート。
【図７】図１に示す広告システムにおいて車両に乗車した広告利用者が広告内容情報を得て広告スポンサに目的地を設定するまでの流れの一例を示すフローチャート。
【図８】図７において車両に乗車した広告利用者が音声によりキーワードを入力することにより広告内容情報を提供し、さらに広告利用履歴情報を作成して広告利用履歴データベース４７に入力する際の方法の一例を示すフローチャート。
【図９】図７および図８において広告利用者の音声入力により作成されたキーワードテキスト情報に基づいて広告インデックス情報を抽出するとともに広告スポンサの位置がモニタに表示されるまでの流れの一例を示すフローチャート。
【図１０】図１に示す広告システムの車両ルート設定手段５１により車両のルートが設定されていない場合において、エリア確定手段５５によるエリア確定情報を確定する方法の一例を説明する図。
【図１１】図７および図８において広告スポンサ選択要求手段５９を介した広告利用者の音声入力により選択された広告インデックス情報に基づいて、広告内容情報を提供する際の流れの一例を示すフローチャート。
【図１２】図２に示す広告システムのエージェント手段６８により広告内容情報が広告利用者に提供されるまでの流れの一例を示すフローチャート。
【図１３】図２に示す広告システムのエージェント手段６８により広告内容情報が広告利用者に提供されるまでの流れの別の一例を示すフローチャート。
【図１４】図２に示す広告システムの広告利用履歴データベース４７に保存された広告利用履歴情報に基づいて作成された広告利用履歴集計情報が広告利用履歴集計データベースに入力される際の流れの一例を説明するフローチャート。
【図１５】図２に示す広告システムの広告利用履歴集計データベースに入力された広告利用履歴集計情報の一例を示す図。
【図１６】図２に示す広告システムの広告利用履歴集計データベースに入力された広告利用履歴集計情報の別の一例を示す図。
【図１７】図２に示す広告システムの広告利用履歴集計データベースに入力された広告利用履歴集計情報の更に別の一例を示す図。
【図１８】従来のナビゲーション経路情報配信システムの構成図。
【符号の説明】
２０  広告システム
２１  広告スポンサ
２２  広告事業者
２３  車両
２４  広告スポンサクライアント
２５  広告内容情報データベース
２６  センタサーバ
２７  情報伝達手段
２８  無線器
２９  広告利用者データベース
３０  広告スポンサデータベース
３１  広告インデックスデータベース
３２  マスターキーワード情報データベース
３３  画像コンテンツデータベース
３４  広告利用履歴集計データベース
３５  カーナビゲーションシステム
３６  ＧＰＳ受信器
３７  地図情報データベース
３８  地図表示手段
３９  モニタ
４０  車載端末
４１  音声入力装置
４２  音声出力装置
４３  車載インデックスデータベース
４４  車載キーワードデータベース
４５  広告パターンデータベース
４６  広告利用履歴データベース
４７  エージェント条件データベース
４８  広告利用者属性データベース
４９  車両通過履歴データベース
５０  スイッチ手段
５１  車両ルート設定手段
５２  インデックス受信手段
５３  車載キーワード情報作成手段
５４  車載キーワード認識手段
５５  エリア確定手段
５６  再音声入力要求手段
５７  インデックス抽出手段
５８  広告スポンサ位置表示手段
５９  広告スポンサ選択要求手段
６０  音声コンテンツ出力手段
６１  距離計算手段
６２  広告パターン選定手段
６３  画像コンテンツ要求手段
６４  走行状態判定手段
６５  画像コンテンツ表示手段
６６  目的地設定手段
６７  広告利用履歴記録手段
６８  エージェント手段
６９  広告利用履歴情報送信手段
７０  車両通過履歴記録手段
７１  広告スポンサ入力手段
７２  広告内容情報入力手段
７３  広告利用者情報入力手段
７４  エリア入力手段
７５  インデックス送信手段
７６  センタキーワード認識手段
７７  画像コンテンツ送信手段
７８  広告利用履歴情報受信手段
【図１】
2004286872.tif 000003
【図２】
2004286872.tif 000004
【図３】
2004286872.tif 000005
【図４】
2004286872.tif 000006
【図５】
2004286872.tif 000007
【図６】
2004286872.tif 000008
【図７】
2004286872.tif 000009
【図８】
2004286872.tif 000010
【図９】
2004286872.tif 000011
【図１０】
2004286872.tif 000012
【図１１】
2004286872.tif 000013
【図１２】
2004286872.tif 000014
【図１３】
2004286872.tif 000015
【図１４】
2004286872.tif 000016
【図１５】
2004286872.tif 000017
【図１６】
2004286872.tif 000018
【図１７】
2004286872.tif 000019
【図１８】
2004286872.tif 000020